(57)【要約】【課題】スモール基地局を状況に応じて柔軟に動作させることを可能にする。【解決手段】端末装置による測定の結果を取得する取得部と、上記測定の上記結果に基づいて、マクロセルと一部又は全体で重なるスモールセルの基地局の動作モードの切替えを制御する制御部と、を備える通信制御装置が提供される。上記切替えは、第１のモード及び第２のモードの一方から他方への上記動作モードの切替えである。上記第１のモードは、上記基地局が上記スモールセル内の装置との無線通信を行うことが可能なモードであり、上記第２のモードは、上記第１のモードよりも消費電力が小さいモードである。【選択図】図１１
2015130644.tif 000002
【特許請求の範囲】
【請求項１】
端末装置による測定の結果を取得する取得部と、
前記測定の前記結果に基づいて、マクロセルと一部又は全体で重なるスモールセルの基地局の動作モードの切替えを制御する制御部と、
を備え、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項２】
前記切替えは、前記第１のモードから前記第２のモードへの切替えであり、
前記測定の前記結果は、前記スモールセルについての測定の結果を含む、
請求項１に記載の通信制御装置。
【請求項３】
前記切替えを制御することは、前記基地局に接続されている端末装置のハンドオーバ先を決定することを含む、請求項２に記載の通信制御装置。
【請求項４】
前記切替えは、前記第２のモードから前記第１のモードへの切替えである、請求項１に記載の通信制御装置。
【請求項５】
前記測定の前記結果は、前記スモールセル以外の１つ以上の別のセルについての測定の結果を含む、請求項４に記載の通信制御装置。
【請求項６】
前記切替えを制御することは、前記切替えを行うことを決定することを含む、請求項１に記載の通信制御装置。
【請求項７】
前記切替えを制御することは、前記切替えを行うことが決定された場合に前記基地局による前記切替えをトリガすることを含む、請求項６に記載の通信制御装置。
【請求項８】
前記測定の前記結果は、複数の周波数帯域の各々についての測定の結果を含み、
前記切替えは、周波数帯域単位での前記動作モードの切替えである、
請求項１に記載の通信制御装置。
【請求項９】
前記第２のモードは、少なくとも前記無線通信のための信号処理回路が連続的に又は不連続に停止するモードである、請求項１に記載の通信制御装置。
【請求項１０】
前記端末装置による測定の結果の報告又は提供を要求する要求部をさらに備える、請求項１に記載の通信制御装置。
【請求項１１】
端末装置による測定の結果を取得することと、
前記測定の前記結果に基づいて、マクロセルと一部又は全体で重なるスモールセルの基地局の動作モードの切替えをプロセッサにより制御することと、
を含み、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御方法。
【請求項１２】
マクロセルと一部又は全体で重なるスモールセルの基地局の動作モードが第１のモードから第２のモードへ切り替えられることを予め認識する認識部と、
前記基地局の前記動作モードが前記第１のモードから前記第２のモードへ切り替えられる前に、前記基地局に接続されている端末装置による測定の結果の報告又は提供を要求する要求部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項１３】
前記測定の前記結果は、前記スモールセル以外の１つ以上の別のセルについての測定の結果を含む、請求項１２に記載の通信制御装置。
【請求項１４】
前記動作モードは、周波数帯域単位で切替え可能であり、
前記測定の前記結果は、前記動作モードが切り替えられる周波数帯域以外の１つ以上の別の周波数帯域についての測定の結果を含む、
請求項１２に記載の通信制御装置。
【請求項１５】
前記第２のモードは、少なくとも前記無線通信のための信号処理回路が停止するモードである、請求項１２に記載の通信制御装置。
【請求項１６】
マクロセルと一部又は全体で重なるスモールセルの基地局の動作モードが第１のモードから第２のモードへ切り替えられることを予め認識することと、
前記基地局の前記動作モードが前記第１のモードから前記第２のモードへ切り替えられる前に、前記基地局に接続されている端末装置による測定の結果の報告又は提供をプロセッサにより要求することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
【請求項１７】
マクロセルと一部又は全体で重なるスモールセルの基地局の動作モードが第１のモードから第２のモードへ切り替えられる前に、前記基地局に接続されている端末装置による測定の結果を取得する取得部と、
前記測定の前記結果に基づいて、前記端末装置のハンドオーバ先を決定する制御部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項１８】
前記測定の前記結果は、前記スモールセル以外の１つ以上の別のセルについての測定の結果を含み、
前記制御部は、前記測定の前記結果に基づいて、前記基地局以外の別の基地局を前記ハンドオーバ先として決定する、
請求項１７に記載の通信制御装置。
【請求項１９】
前記動作モードは、周波数帯域単位で切替え可能であり、
前記測定の前記結果は、前記動作モードが切り替えられる周波数帯域以外の１つ以上の別の周波数帯域についての測定の結果を含む、
前記制御部は、前記測定の前記結果に基づいて、前記周波数帯域以外の別の周波数帯域を前記ハンドオーバ先として決定する、
請求項１７に記載の通信制御装置。
【請求項２０】
マクロセルと一部又は全体で重なるスモールセルの基地局の動作モードが第１のモードから第２のモードへ切り替えられる前に、前記基地局に接続されている端末装置による測定の結果を取得することと、
前記測定の前記結果に基づいて、前記端末装置のハンドオーバ先をプロセッサにより決定することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
【発明の詳細な説明】
【技術分野】
【０００１】
本開示は、通信制御装置及び通信制御方法に関する。
【背景技術】
【０００２】
２００２年より、日本で第３世代と呼ばれる３Ｇ方式の携帯電話サービスが開始された。当初は、音声通話及びメールの送信などのために小さいサイズのパケットが送受信されていた。しかし、ＨＳＤＰＡ（High  Speed  Downlink  Packet  Access）の導入により、音楽ファイルのダウンロード及び動画のストリーミングなどのために、より大きいサイズのパケットが送受信されるようになった。このようなパケット容量の増加に伴い、無線ネットワーク側の拡張のために、ダウンリンクにＯＦＤＭＡ（Orthogonal  Frequency  Division  Multiple  Access）を使用するＬＴＥ（Long  Term  Evolution）のサービスも開始された。さらに、２０１５年頃には、４Ｇサービスの開始が予定されている。これにより、準固定で最大１Ｇｂｐｓ（bit  per  second）が実現され、移動環境でも最大１００Ｍｂｐｓが実現され得る。
【０００３】
上述したようなトラフィックの増加に伴い、安価で且つ設置が容易なスモール基地局を配置することにより、トラフィックの集中を回避することが期待されている。一方、このようなスモール基地局の配置により、消費電力の増加が懸念される。そのため、スモール基地局の消費電力を抑えるための様々な技術が提案されている。
【０００４】
例えば、特許文献１及び特許文献２には、無線通信端末がフェムトセルの近隣にいないと判定される場合に、フェムトセル基地局に電波の受信を停止させ、無線通信端末がフェムトセルの近隣にいると判定される場合に、フェムトセル基地局に電波の受信を開始させる技術が、開示されている。
【先行技術文献】
【特許文献】
【０００５】
【特許文献１】特開２０１１−０４９８５９号公報
【特許文献２】特開２０１１−０４９８９０号公報
【発明の概要】
【発明が解決しようとする課題】
【０００６】
しかし、上記特許文献１及び２に開示されている技術によれば、例えば、スモール基地局（例えば、フェムトセル基地局）を柔軟に動作させることが困難である。その結果、スモール基地局の消費電力の低減は限定的になり得る。具体的には、例えば、スモールセル（例えば、フェムトセル）にいずれかの端末が存在すれば、スモール基地局は電波の受信を停止することができない。また、例えば、端末が他のセル（例えば、マクロセル）で良好に通信できていたとしても、当該端末がスモールセル内に入ると、スモール基地局は電波の受信を再開してしまう。結果として、スモール基地局の消費電力の低減は限定的になり得る。
【０００７】
そこで、スモール基地局を状況に応じて柔軟に動作させることを可能にする仕組みが提供されることが望ましい。
【課題を解決するための手段】
【０００８】
本開示によれば、端末装置による測定の結果を取得する取得部と、上記測定の上記結果に基づいて、マクロセルと一部又は全体で重なるスモールセルの基地局の動作モードの切替えを制御する制御部と、を備える通信制御装置が提供される。上記切替えは、第１のモード及び第２のモードの一方から他方への上記動作モードの切替えである。上記第１のモードは、上記基地局が上記スモールセル内の装置との無線通信を行うことが可能なモードであり、上記第２のモードは、上記第１のモードよりも消費電力が小さいモードである。
【０００９】
また、本開示によれば、端末装置による測定の結果を取得することと、上記測定の上記結果に基づいて、マクロセルと一部又は全体で重なるスモールセルの基地局の動作モードの切替えをプロセッサにより制御することと、を含む通信制御方法が提供される。上記切替えは、第１のモード及び第２のモードの一方から他方への上記動作モードの切替えである。上記第１のモードは、上記基地局が上記スモールセル内の装置との無線通信を行うことが可能なモードであり、上記第２のモードは、上記第１のモードよりも消費電力が小さいモードである。
【００１０】
また、本開示によれば、マクロセルと一部又は全体で重なるスモールセルの基地局の動作モードが第１のモードから第２のモードへ切り替えられることを予め認識する認識部と、上記基地局の上記動作モードが上記第１のモードから上記第２のモードへ切り替えられる前に、上記基地局に接続されている端末装置による測定の結果の報告又は提供を要求する要求部と、を備える通信制御装置が提供される。上記第１のモードは、上記基地局が上記スモールセル内の装置との無線通信を行うことが可能なモードであり、上記第２のモードは、上記第１のモードよりも消費電力が小さいモードである。
【００１１】
また、本開示によれば、マクロセルと一部又は全体で重なるスモールセルの基地局の動作モードが第１のモードから第２のモードへ切り替えられることを予め認識することと、上記基地局の上記動作モードが上記第１のモードから上記第２のモードへ切り替えられる前に、上記基地局に接続されている端末装置による測定の結果の報告又は提供をプロセッサにより要求することと、を含む通信制御方法が提供される。上記第１のモードは、上記基地局が上記スモールセル内の装置との無線通信を行うことが可能なモードであり、上記第２のモードは、上記第１のモードよりも消費電力が小さいモードである。
【００１２】
また、本開示によれば、マクロセルと一部又は全体で重なるスモールセルの基地局の動作モードが第１のモードから第２のモードへ切り替えられる前に、上記基地局に接続されている端末装置による測定の結果を取得する取得部と、上記測定の上記結果に基づいて、上記端末装置のハンドオーバ先を決定する制御部と、を備える通信制御装置が提供される。上記第１のモードは、上記基地局が上記スモールセル内の装置との無線通信を行うことが可能なモードであり、上記第２のモードは、上記第１のモードよりも消費電力が小さいモードである。
【００１３】
また、本開示によれば、マクロセルと一部又は全体で重なるスモールセルの基地局の動作モードが第１のモードから第２のモードへ切り替えられる前に、上記基地局に接続されている端末装置による測定の結果を取得することと、上記測定の上記結果に基づいて、上記端末装置のハンドオーバ先をプロセッサにより決定することと、
を含む通信制御方法が提供される。上記第１のモードは、上記基地局が上記スモールセル内の装置との無線通信を行うことが可能なモードであり、上記第２のモードは、上記第１のモードよりも消費電力が小さいモードである。
【発明の効果】
【００１４】
以上説明したように本開示によれば、スモール基地局を状況に応じて柔軟に動作させることが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１５】
【図１】本開示の実施形態に係る通信システム１の概略的な構成の一例を示す説明図である。
【図２】第１の施形態に係るマクロ基地局の構成の一例を示すブロック図である。
【図３】マクロセルにおける端末装置の配置の例を説明するための説明図である。
【図４】端末装置による測定の結果の具体例を説明するための説明図である。
【図５】コンポーネントキャリア（ＣＣ）単位での動作モードの第１の切替えの例を説明するための説明図である。
【図６】スモール基地局単位での動作モードの第１の切替えの例を説明するための説明図である。
【図７】マクロセルにおける端末装置の配置の例を説明するための説明図である。
【図８】端末装置による測定の結果の具体例を説明するための説明図である。
【図９】コンポーネントキャリア（ＣＣ）単位での動作モードの第２の切替えの例を説明するための説明図である。
【図１０】スモール基地局単位での動作モードの第２の切替えの例を説明するための説明図である。
【図１１】第１の実施形態に係る通信制御処理の概略的な流れの第１の例を示すシーケンス図である。
【図１２】第１の実施形態に係る通信制御処理の概略的な流れの第２の例を示すフローチャートである。
【図１３】第１の実施形態の第１の変形例に係る通信制御処理の概略的な流れの第１の例を示すシーケンス図である。
【図１４】第１の実施形態の第１の変形例に係る通信制御処理の概略的な流れの第２の例を示すシーケンス図である。
【図１５】第１の実施形態の第３の変形例に係る通信制御処理の概略的な流れの一例を示すシーケンス図である。
【図１６】第２の施形態に係るマクロ基地局の構成の一例を示すブロック図である。
【図１７】第２の実施形態に係る通信制御処理の概略的な流れの一例を示すシーケンス図である。
【図１８】第２の実施形態の第２の変形例に係る通信制御処理の概略的な流れの一例を示すシーケンス図である。
【図１９】第２の実施形態の第３の変形例に係る通信制御処理の概略的な流れの一例を示すシーケンス図である。
【図２０】第２の実施形態の第４の変形例に係る通信制御処理の概略的な流れの一例を示すシーケンス図である。
【図２１】本開示に係る技術が適用され得るｅＮＢの概略的な構成の第１の例を示すブロック図である。
【図２２】本開示に係る技術が適用され得るｅＮＢの概略的な構成の第２の例を示すブロック図である。
【図２３】本開示に係る技術が適用され得るサーバの概略的な構成の一例を示すブロック図である。
【発明を実施するための形態】
【００１６】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置３００Ａ、３００Ｂ及び３００Ｃのように区別する。ただし、実質的に同一の機能構成を有する複数の要素の各々を特に区別する必要がない場合、同一符号のみを付する。例えば、端末装置３００Ａ、３００Ｂ及び３００Ｃを特に区別する必要が無い場合には、単に端末装置３００と称する。
【００１８】
なお、説明は以下の順序で行うものとする。
１．通信システムの概略的な構成
２．第１の実施形態
２．１．マクロ基地局の構成
２．２．第１のモードから第２のモードへの動作モードの切替え
２．３．第２のモードから第１のモードへの動作モードの切替え
２．４．処理の流れ
２．５．第１の変形例
２．６．第２の変形例
２．７．第３の変形例
３．第２の実施形態
３．１．マクロ基地局の構成
３．２．処理の流れ
３．３．第１の変形例
３．４．第２の変形例
３．５．第３の変形例
３．６．第４の変形例
４．応用例
４．１．基地局に関する応用例
４．２．制御エンティティに関する応用例
５．まとめ
【００１９】
＜＜１．通信システムの概略的な構成＞＞
まず、図１を参照して、本開示の実施形態に係る通信システム１の概略的な構成を説明する。図１は、本実施形態に係る通信システム１の概略的な構成の一例を示す説明図である。図１を参照すると、通信システムは１、マクロ基地局１００、スモール基地局２００、端末装置３００及び制御エンティティ４００を含む。
【００２０】
マクロ基地局１００は、マクロセル１０の基地局であり、マクロセル１０内に位置する端末装置３００との無線通信を行う。また、例えば、マクロ基地局１００は、バックホールを介してスモール基地局２００及び制御エンティティ４００と通信する。
【００２１】
スモール基地局２００は、マクロセル１０と一部又は全体で重なるスモールセル２０の基地局であり、スモールセル２０内に位置する端末装置３００との無線通信を行う。また、例えば、スモール基地局２００は、バックホールを介してマクロ基地局１００と通信する。また、スモール基地局２００は、バックホールを介して制御エンティティ４００と通信してもよい。なお、スモールセル２０は、マクロセル１０より小さいセルであり、ピコセル、フェムトセル及びマイクロセルなどの様々な種類のセルのいずれかである。
【００２２】
端末装置３００は、マクロセル１０内に位置する場合にマクロ基地局１００との無線通信を行う。また、端末装置３００は、スモールセル２０内に位置する場合にスモール基地局２００との無線通信を行う。また、端末装置３００は、マクロ基地局１００又はスモール基地局２００を介して制御エンティティ４００と通信してもよい。
【００２３】
制御エンティティ４００は、通信システム１における制御を行う。例えば、制御エンティティ４００は、マクロセル１０及びスモールセル２０における無線通信に関連する制御を行う。例えば、制御エンティティ４００は、バックホールを介してマクロ基地局１００と通信する。また、制御エンティティ４００は、バックホールを介してスモール基地局２００と通信してもよい。また、制御エンティティ４００は、マクロ基地局１００又はスモール基地局２００を介して端末装置３００と通信してもよい。制御エンティティ４００は、例えば、コアネットワークノードである。
【００２４】
＜＜２．第１の実施形態＞＞
続いて、図２〜図１５を参照して、本開示の第１の実施形態を説明する。
【００２５】
本開示の第１の実施形態によれば、スモール基地局２００の動作モードの切換えであって、第１のモード及び第２のモードの一方から他方への上記切替えが、端末装置３００による測定（measurement）の結果に基づいて制御される。上記第１のモードは、スモール基地局２００がスモールセル２０内の装置との無線通信を行うことが可能なモードであり、上記第２のモードは、上記第１のモードよりも消費電力が小さいモードである。
【００２６】
これにより、例えば、スモール基地局２００を状況に応じて柔軟に動作させることを可能になる。その結果、スモール基地局２００の消費電力がより低減され得る。
【００２７】
＜２．１．マクロ基地局の構成＞
まず、図２を参照して、第１の実施形態に係るマクロ基地局１００−１の構成の一例を説明する。図２は、第１の施形態に係るマクロ基地局１００−１の構成の一例を示すブロック図である。図２を参照すると、マクロ基地局１００−１は、アンテナ部１１０、無線通信部１２０、ネットワーク通信部１３０、記憶部１４０及び処理部１５０を備える。
【００２８】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００２９】
（無線通信部１２０）
無線通信部１２０は、無線通信を行う。例えば、無線通信部１２０は、マクロセル１０内に位置する端末装置３００−１へのダウンリンク信号を送信し、マクロセル１０内に位置する端末装置３００−１からのアップリンク信号を受信する。
【００３０】
（ネットワーク通信部１３０）
ネットワーク通信部１３０は、他のノードと通信する。例えば、ネットワーク通信部１３０は、バックホールを介してスモール基地局２００−１と通信する。また、ネットワーク通信部１３０は、バックホールを介して制御エンティティ４００−１と通信する。ここで、バックホールは、有線の手段でもよいし、無線の手段でもよい。
【００３１】
（記憶部１４０）
記憶部１４０は、マクロ基地局１００−１の動作のためのプログラム及びデータを一時的にまたは恒久的に記憶する。また、当該プログラム及びデータは、無線通信部１２０、若しくは、ネットワーク通信部１３０を介して動的に書き換えられてもよい。
【００３２】
（処理部１５０）
処理部１５０は、マクロ基地局１００−１の様々な機能を提供する。処理部１５０は、要求部１５１、情報取得部１５３及び制御部１５５を含む。
【００３３】
（要求部１５１）
要求部１５１は、端末装置３００−１による測定（measurement）の結果の報告又は提供を要求する。
【００３４】
−測定
例えば、通信システム１は、ＬＴＥに従ったシステムである。この場合に、上記測定は、例えば、ＲＳＲＰ（Reference  Signal  Received  Power）の測定を含む。なお、上記測定は、ＲＳＲＱ（Received  Signal  Received  Quality）を含んでもよい。また、上記測定は、ＳＩＮＲ（Signal-to-Interference  and  Noise  power  Ratio）、及び／又はＣＱＩ（Channel  Quality  Indicator）の測定を含んでもよい。
【００３５】
別の例として、通信システム１は、ＵＭＴＳ（Universal  Mobile  Telecommunications  System）に従ったシステムであってもよい。この場合に、上記測定は、例えば、パイロット信号の受信強度であるＲＳＣＰ（Received  Signal  Code  Power）の測定を含んでもよい。また、上記測定は、Ｅｃ／Ｎｏ（Energy  per  Chip  divided  by  the  Noise  power  density）、ＳＩＮＲ（Signal-to-Interference  and  Noise  power  Ratio）、及び／又はＣＱＩ（Channel  Quality  Indicator）の測定を含んでもよい。
【００３６】
さらに別の例として、通信システム１は、ＥＶ−ＤＯ（Evolution  Data  Only  (Optimized)）に従ったシステムであってもよい。この場合に、上記測定は、ＲＳＣＰ、Ｅｃ／Ｉｏ（Energy  per  Chip  divided  by  the  Interference  power  density）の測定を含んでもよい。また、上記測定は、ＳＩＮＲ、及び／又はＤＲＣ（Data  Rate  Control  Bit）の測定を含んでもよい。
【００３７】
なお、上記測定は、上述した第１〜第３の例に限られない。当然ながら、上記測定は、別の測定項目の測定であってもよい。例えば、上記測定は、上述した第１〜第３の例に係る測定項目と同等の指標の測定であってもよい。
【００３８】
−要求
−−要求の手法
第１の例として、要求部１５１は、ネットワーク通信部１３０を介して、スモール基地局２００−１に、端末装置３００−１による測定の結果の提供を要求する。すると、スモール基地局２００−１は、１つ以上の端末装置３００−１に測定の結果の報告を要求し、当該１つ以上の端末装置３００−１は、スモール基地局２００−１に測定の結果を報告する。そして、スモール基地局２００−１は、当該測定の当該結果をマクロ基地局１００−１に提供する。その後、上記測定の上記結果は、記憶部１４０に記憶される。
【００３９】
より具体的には、例えば、要求部１５１は、ネットワーク通信部１３０を介して、各スモール基地局２００−１に、自身に接続されている各端末装置３００−１による測定の結果の提供を要求する。その結果、各スモール基地局２００−１は、自身に接続されている各端末装置３００−１による測定の結果をマクロ基地局１００−１に提供する。なお、各端末装置３００−１による測定の結果は、マクロ基地局１００−１についての測定の結果及び／又は、端末装置３００−１が接続しているスモール基地局２００−１以外のスモール基地局２００−１についての測定の結果を含んでいてもよい。
【００４０】
第２の例として、要求部１５１は、無線通信部１２０を介して、１つ以上の端末装置３００−１に測定の結果の報告を要求する。すると、当該１つ以上の端末装置３００−１は、マクロ基地局１００−１に測定の結果を報告する。その後、上記測定の上記結果は、記憶部１４０に記憶される。
【００４１】
より具体的には、例えば、要求部１５１は、無線通信部１２０を介して、マクロ基地局１００−１に接続されている各端末装置３００−１に、測定の結果の報告を要求する。その結果、マクロ基地局１００−１に接続されている各端末装置３００−１は、測定の結果をマクロ基地局１００−１に報告する。なお、各端末装置３００−１による測定の結果は、マクロ基地局１００−１についての測定の結果及び／又は、１つ以上のスモール基地局２００−１についての測定の結果を含んでいてもよい。
【００４２】
以上により、例えば、マクロセル１０内に位置し、いずれかの基地局に接続されている全ての端末装置３００−１が、測定の結果を報告する。
【００４３】
なお、端末装置３００−１に対する要求は、例えば、ＲＲＣ（Radio  Resource  Control）接続再構成メッセージ（RRC  Connection  Reconfiguration  message）の端末装置３００−１への送信によって行われる。
【００４４】
−−要求の内容
例えば、要求部１５１は、端末装置３００−１による測定の結果の提供又は報告を要求する際に、測定対象（Measurement  Objects）、測定項目及び／又は報告手法などを指定する。
【００４５】
上記測定対象は、例えば、セル又は基地局である。また、上記測定項目は、例えば、ＲＳＲＰを含む。
【００４６】
上記報告手法は、例えば、周期的な報告（periodic  reporting）又はイベントトリガの報告（event-triggered  reporting）である。周期的な報告によれば、周期的なタイミングで測定の結果が報告され、イベントトリガの報告によれば、イベントが発生したタイミングで測定の結果が報告される。例えば、全ての端末装置３００−１による測定の結果を所定の期間内に収集するためには、周期的な報告が行われることが望ましい。そのため、例えば、上記報告手法として、周期的な報告が指定される。この場合に、例えば、測定期間がさらに指定される。そして、当該測定期間における測定の結果が、端末装置３００−１により報告される。あるいは、報告周期がさらに指定され、当該報告周期で測定及び報告が行われてもよい。また、報告期間が指定され、当該報告期間にわたって報告周期での測定及び報告が行われてもよい。
【００４７】
なお、例えば、上述したＲＲＣ接続再構成メッセージが、測定対象、測定項目及び／又は報告手法などの情報を含む。これにより、測定対象、測定項目及び／又は報告手法などが指定される。
【００４８】
例えば以上のように、要求部１５１は、端末装置３００−１による測定の結果の報告又は提供を要求する。これにより、例えば、通常ハンドオーバの必要性がない時点でも、ネットワーク側の必要性に応じて端末装置３００による測定の結果が得られる。
【００４９】
（情報取得部１５３）
情報取得部１５３は、端末装置３００−１による測定の結果を取得する。
【００５０】
上述したように、例えば、要求部１５１による要求に応じて、端末装置３００−１による測定の結果がマクロ基地局１００−１に提供され又は報告され、記憶部１４０に記憶される。そして、情報取得部１５３は、記憶部１４０に記憶されている上記測定の上記結果を取得する。
【００５１】
（制御部１５５）
制御部１５５は、端末装置３００−１による測定の結果に基づいて、スモール基地局２００の動作モードの切替えを制御する。当該切替えは、第１のモード及び第２のモードの一方から他方への上記動作モードの切替えである。
【００５２】
−第１のモード及び第２のモード
上記第１のモードは、スモール基地局２００−１がスモールセル２０内の装置との無線通信を行うことが可能なモードである。例えば、上記第１のモードは、スモール基地局２００−１が通常の無線通信を行う通常モードである。
【００５３】
一方、上記第２のモードは、上記第１のモードよりも消費電力が小さいモードである。例えば、上記第２のモードは、少なくとも上記無線通信のための信号処理回路が連続的に又は不連続に停止するモードである。当該信号処理回路は、例えば、ＲＦ（Radio  Frequency）信号を処理するための信号処理回路、ベースバンド信号を処理するための信号処理回路、及びさらに上位層の信号処理回路のうちの、少なくとも１つ以上を含む。換言すると、当該第２のモードは、スモール基地局２００−１が連続的に又は不連続に無線通信を行わないモードである。例えば、上記第２のモードは、上記信号処理回路が連続的に停止する停止モード、又は上記信号処理回路が不連続に停止する省電力モードである。
【００５４】
以上を踏まえると、例えば、制御部１５５は、端末装置３００−１による測定の結果に基づいて、上記通常モード及び上記停止モード（又は省電力モード）の一方から他方への上記動作モードの切替えを制御する。
【００５５】
−切替えの種類
上記動作モードの上記切替えには、上記第１のモード（例えば、通常モード）から上記第２のモード（例えば、停止モード又は省電力モード）への動作モードの切替えと、上記第２のモードから上記第１のモードへの動作モードの切替えとがあり得る。このような２つの切替えの各々のケースにおけるマクロ基地局１００の動作については、後に詳細に説明する。
【００５６】
−切替えの制御
−−切替えの決定
例えば、上記切替えを制御することは、上記切替えを行うことを決定することを含む。即ち、制御部１５５は、端末装置３００−１による測定の結果に基づいて、上記切替えを行うことを決定する。具体的には、例えば、制御部１５５は、上記測定の上記結果が所定の条件を満たす場合に、上記切替えを行うことを決定し、上記測定の上記結果が上記所定の条件を満たさない場合には、上記切替えを行うことを決定しない。
【００５７】
−−切替えのトリガ
また、例えば、上記切替えを制御することは、上記切替えを行うことが決定された場合にスモール基地局２００−１による上記切替えをトリガすることを含む。具体的には、例えば、制御部１５５は、ネットワーク通信部１３０を介して、スモール基地局２００−１に上記動作モードの上記切替えを指示する。
【００５８】
＜２．２．第１のモードから第２のモードへの動作モードの切替え（第１の切替え）＞
上述したように、例えば、上記切替えは、上記第１のモード（例えば、通常モード）から上記第２のモード（例えば、停止モード又は省電力モード）への上記動作モードの切替え（以下、「第１の切替え」と呼ぶ）である。以下、このような第１の切替えのケースにおけるマクロ基地局１００の動作を具体的に説明する。
【００５９】
（要求部１５１）
−要求
−−要求の内容
上記第１の切替えのケースでは、要求部１５１は、測定対象として１つ以上のスモールセル２０を指定する。その結果、各端末装置３００−１は、当該１つ以上のスモールセル２０についての測定の結果を報告する。
【００６０】
より具体的には、例えば、要求部１５１は、マクロセル１０及び全てのスモールセル２０を測定対象として指定する。その結果、各端末装置３００−１は、マクロセル１０及び上記全てのスモールセル２０についての測定の結果を報告する。
【００６１】
（情報取得部１５３）
情報取得部１５３は、端末装置３００−１による測定の結果を取得する。上記第１の切替えのケースでは、当該測定の当該結果は、スモールセル２０についての測定の結果を含む。
【００６２】
−測定対象のセル
例えば、上述したように、各端末装置３００−１は、１つ以上のスモールセル２０についての測定の結果を報告する。この場合に、情報取得部１５３は、当該１つ以上のスモールセル２０についての測定の結果を取得する。
【００６３】
より具体的には、例えば、上述したように、各端末装置３００−１は、マクロセル１０及び上記全てのスモールセル２０についての測定の結果を報告する。この場合に、情報取得部１５３は、マクロセル１０及び上記全てのスモールセル２０についての測定の結果を取得する。
【００６４】
−測定主体である端末装置
上述したように、例えば、マクロセル１０内に位置し、いずれかの基地局に接続されている全ての端末装置３００−１が、測定の結果を報告する。この場合に、情報取得部１５３は、上記全ての端末装置３００−１による測定の結果を取得する。
【００６５】
−測定の結果の具体例
以下、取得される測定の結果の具体例を図３及び図４を参照して説明する。
【００６６】
図３は、マクロセル１０における端末装置３００−１の配置の例を説明するための説明図である。図３を参照すると、セルＩＤが＃１である有するマクロ基地局１００−１と、セルＩＤが＃２〜＃４である３つのスモール基地局２００−１Ａ〜２００−１Ｃとが示されている。この例では、マクロ基地局１００−１及びスモール基地局２００−１Ａ〜２００−１Ｃのいずれも、通常モード（第１のモード）で動作している。さらに、端末ＩＤが＃１〜＃９である９つの端末装置３００−１Ａ〜３００−１Ｉも示されている。この例では、端末ＩＤが＃１〜＃３である３つの端末装置３００−１Ａ〜３００−１Ｃは、マクロ基地局１００−１に接続され、マクロセル１０での無線通信を行っている。また、端末ＩＤが＃４〜＃６である３つの端末装置３００−１Ｄ〜３００−１Ｆは、セルＩＤが＃２であるスモール基地局２００−１Ａに接続され、スモールセル２０Ａでの無線通信を行っている。また、端末ＩＤが＃７〜＃９である３つの端末装置３００−１Ｇ〜３００−１Ｉは、セルＩＤが＃４であるスモール基地局２００−１Ｃに接続され、スモールセル２０Ｃでの無線通信を行っている。
【００６７】
図４は、端末装置３００−１による測定の結果の具体例を説明するための説明図である。図４の例は、図３のように端末装置３００−１が配置されている場合の測定の結果の例である。図４を参照すると、端末ＩＤが＃１〜＃９である９つの端末装置による４つのセル（即ち、セルＩＤが＃１であるマクロセル１０、及びセルＩＤが＃２〜＃４であるスモールセル２０Ａ〜２０Ｃ）についての測定の結果が示されている。この例では、測定の結果は、ＲＳＲＰである。例えば、ＲＳＲＰ＿００は、−１４０ｄＢｍ未満のＲＳＲＰを示す。また、ＲＳＲＰ＿Ｎ（Ｎ≧１）は、｛−１４０−（Ｎ−１）｝ｄＢｍ以上、（−１４０−Ｎ）ｄＢｍ未満のＲＳＲＰを示す。例えば、ＲＳＲＰ＿０１は、−１４０ｄＢｍ以上且つ−１３９ｄＢｍ未満のＲＳＲＰを示す。
【００６８】
（制御部１５５）
−切替えの種類
上記第１の切替えのケースでは、上記切替えは、上記第１のモード（例えば、通常モード）から上記第２のモード（例えば、停止モード又は省電力モード）への上記動作モードの切替え（即ち、第１の切替え）である。
【００６９】
−切替えの制御
−−切替えの決定
例えば、制御部１５５は、端末装置３００−１による測定の結果に基づいて、上記第１の切替え（即ち、上記第１のモードから上記第２のモードへの上記動作モードの切替え）を行うことを決定する。
【００７０】
具体的には、例えば、制御部１５５は、マクロセル１０内に位置し且ついずれかの基地局に接続されている全ての端末装置３００−１による測定の結果に基づいて、動作モードが上記第１のモード（例えば、通常モード）であるいずれかのスモール基地局２００−１の動作モードの上記第１の切替えを行うことを決定する。
【００７１】
第１の例として、制御部１５５は、各スモールセル２０について、全ての端末装置３００−１による測定の結果の平均値を算出し、当該平均値に基づいて、上記第１の切替えを決定する。例えば、制御部１５５は、各スモールセル２０について、全ての端末装置３００−１により測定されたＲＳＲＰの平均値を算出し、当該平均値が所定の閾値以下であれば上記第１の切替えを決定する。即ち、制御部１５５は、スモール基地局２００−１と端末装置３００−１との通信の状態が良好ではない場合に、当該スモール基地局２００−１について上記第１の切替え（例えば、通常モードから停止モード又は省電力モードへの切替え）を行うことを決定する。なお、上記所定の閾値は、任意の値であってもよく、時間軸において動的に変化してもよい。
【００７２】
具体例として、図３及び図４の例を再び参照すると、例えば、セルＩＤが＃３であるスモールセル２０ＢについてのＲＳＲＰの平均値は、非常に低く、所定の閾値以下である。そのため、制御部１５５は、スモール基地局２００−１Ｂについて上記第１の切替え（例えば、通常モードから停止モード又は省電力モードへの切替え）を行うことを決定する。
【００７３】
第２の例として、制御部１５５は、各スモールセル２０について、測定の結果が所定の条件を満たす端末装置３００−１の数をカウントし、端末装置３００−１の当該数に基づいて、上記第１の切替えを決定してもよい。例えば、上記所定の条件は、ＲＳＲＰがＲＳＲＰ＿５０以上であることであってもよい。そして、制御部１５５は、各スモールセル２０について、ＲＳＲＰがＲＳＲＰ＿５０以上である端末装置３００−１の数が所定数以下であれば上記第１の切替えを決定してもよい。なお、上記所定数は、任意の数であってもよく、時間軸において動的に変化してもよい。また、上記所定数は、各スモールセル２０で異なる数が設定されてもよい。
【００７４】
具体例として、図３及び図４の例を再び参照すると、例えば、ＲＳＲＰがＲＳＲＰ＿５０以上である端末装置３００−１の数は、スモールセル２０Ａ（セルＩＤ：＃２）については３であり、スモールセル２０Ｂ（セルＩＤ：＃３）については０であり、スモールセル２０Ｃ（セルＩＤ：＃４）については３である。例えば、上記所定数が１であり、スモールセル２０Ｂ（セルＩＤ：＃３）についての端末装置３００−１の上記数は、上記所定数以下である。そのため、制御部１５５は、スモール基地局２００−１Ｂについて上記第１の切替え（例えば、通常モードから停止モード又は省電力モードへの切替え）を行うことを決定する。
【００７５】
以上、上記測定の上記結果がＲＳＲＰである例を説明したが、当然ながら、上記測定の上記結果は、ＲＳＲＰ以外のものであってもよい。例えば、上記測定の上記結果は、ＲＳＣＰ、ＲＳＲＱ、ＳＩＮＲ、Ｅｃ／Ｎｏ、Ｅｃ／Ｉｏ、ＣＱＩ、ＤＲＣ、又は、これら任意の複数の組み合わせで算出される指標であってもよい。
【００７６】
また、いずれかの基地局に接続されている全ての端末装置３００−１による測定の結果に基づいて、上記第１の切替えを行うことが決定される、という例を説明したが、上記第１の切替えの決定は係る例に限られない。例えば、上記全ての端末装置３００−１のうちの一部の端末装置３００−１による測定の結果に基づいて、上記第１の切替えを行うことが決定されてもよい。一例として、スモール基地局２００−１に接続されている少なくとも一部の端末装置３００−１による測定の結果に基づいて、当該スモール基地局２００−１について上記第１の切替えを行うことが決定されてもよい。
【００７７】
−−切替えのトリガ
例えば、制御部１５５は、上記第１の切替えを行うことが決定された場合に、スモール基地局２００−１による上記第１の切替え（即ち、上記第１のモードから上記第２のモードへの上記動作モードの切替え）をトリガする。具体的には、例えば、制御部１５５は、ネットワーク通信部１３０を介して、スモール基地局２００に、上記第１の切替えを指示する。
【００７８】
−−ハンドオーバ先の決定
例えば、上記切替えを制御することは、スモール基地局２００−１に接続されている端末装置３００−１のハンドオーバ先を決定することを含む。即ち、制御部１５５は、例えば、動作モードが切り替えられるスモール基地局２００−１に接続されている端末装置３００−１による測定の結果に基づいて、当該端末装置３００−１のハンドオーバ先を決定する。
【００７９】
具体的には、例えば、制御部１５５は、上記測定の上記結果に基づいて、上記スモール基地局２００−１以外の別の基地局を上記ハンドオーバ先として決定する。例えば、制御部１５５は、マクロ基地局１００−１（若しくはマクロセル１０）又は別のスモール基地局２００−１（若しくは別のスモールセル２０）を、上記ハンドオーバ先として決定する。一例として、制御部１５５は、端末装置３００−１により測定されたＲＳＲＰのうちの最も大きいＲＳＲＰに対応する基地局（又はセル）を、当該端末装置３００−１のハンドオーバ先として決定する。
【００８０】
例えば以上のように、上記第１の切替え（即ち、上記第１のモードから上記第２のモードへの上記動作モードの切替え）が制御される。これにより、例えば、スモール基地局２００−１を状況に応じて柔軟に動作させることを可能になる。
【００８１】
より具体的には、例えば、スモールセル２０内にいずれかの端末装置３００−１が存在する場合でも、当該スモールセル２０による十分な効果（例えば、トラフィックのオフローディング）が望めない場合には、当該スモールセル２０のスモール基地局２００−１を停止させ、又は省電力で動作させることができる。その結果、スモール基地局２００−１の消費電力がより低減され得る。また、スモール基地局２００−１に起因する干渉も低減され得る。
【００８２】
また、上述したように、例えば、動作モードが切り替えられるスモール基地局２００−１に接続されている端末装置３００−１が存在する場合でも、当該端末装置３００−１のハンドオーバが行われる。これにより、例えば、上記スモール基地局２００−１が停止し、又は省電力で動作するようになった後も、上記端末装置３００−１は、通信を継続することができる。
【００８３】
（キャリアアグリゲーションのケース）
例えば、マクロ基地局１００−１及び／又はスモール基地局２００−１、並びに、端末装置３００−１は、キャリアアグリゲーションをサポートし得る。即ち、マクロ基地局１００−１及び／又はスモール基地局２００−１は、複数の周波数帯域を使用して、１つの端末装置３００−１との無線通信を行い得る。また、端末装置３００−１は、複数の周波数帯域を使用して、マクロ基地局１００−１又はスモール基地局２００−１との無線通信を行い得る。上記複数の周波数帯域の各々は、例えば、コンポーネントキャリア（ＣＣ：Component  Carrier）である。
【００８４】
−測定
キャリアアグリゲーションのケースでは、例えば、端末装置３００−１による測定の結果は、複数の周波数帯域（例えば、複数のＣＣ）の各々についての測定の結果を含む。例えば、３つのＣＣが使用される場合に、端末装置３００−１による上記測定の上記結果は、当該３つのＣＣの各々についての測定の結果を含む。なお、前述のＲＲＣ接続再構成メッセージは、測定対象として各ＣＣの情報を含んでいてもよい。
【００８５】
−動作モードの切替え
キャリアアグリゲーションのケースでは、スモール基地局２００−１の上記動作モードの上記第１の切替えは、例えば、周波数帯域（例えば、ＣＣ）単位での切替えである。即ち、スモール基地局２００−１の上記動作モードは、スモール基地局２００−１単位ではなく、スモール基地局２００−１が使用する周波数帯域（例えば、ＣＣ）単位で、上記第１のモードから上記第２のモードに切替えられる。以下、この点について、図５を参照して具体例を説明する。
【００８６】
図５は、コンポーネントキャリア（ＣＣ）単位での動作モードの第１の切替えの例を説明するための説明図である。図５を参照すると、マクロセル１０（セルＩＤ：＃１）、スモールセル２０Ａ（セルＩＤ：＃２）、スモールセル２０Ｂ（セルＩＤ：＃３）、及びスモールセル２０Ｃ（セルＩＤ：＃４）の各々で使用される３つのＣＣ（ＣＣ  ＃１〜＃３）が示されている。この例では、いずれのセルでも３つのＣＣについての動作モードは上記第１のモード（通常モード）である。この場合に、各端末装置３００−１は、マクロセル１０、スモールセル２０Ａ、スモールセル２０Ｂ及びスモールセル２０Ｃの各々について、ＣＣごとに測定を行い、ＣＣごとの測定の結果を報告する。一例として、当該測定の当該結果は、ＲＳＲＰである。そして、例えば、スモールセル２０Ｂ（セルＩＤ：＃３）のＣＣ  ＃３について、ＲＳＲＰの平均値が閾値未満である。あるいは、スモールセル２０Ｂ（セルＩＤ：＃３）のＣＣ  ＃３について、ＲＳＲＰがＲＳＲＰ＿５０以上である端末装置３００−１の数が、所定数以下である。この場合に、スモール基地局２００−１ＢのＣＣ  ＃３についての動作モードを上記第１のモード（通常モード）から上記第２のモード（例えば、停止モード又は省電力モード）に切り替えることが決定される。その後、スモール基地局２００−１ＢのＣＣ  ＃３についての動作モードが、第２のモードに切替えられる。
【００８７】
このような周波数帯域（例えば、ＣＣ）単位での切替えにより、例えば、スモール基地局２００−１をさらに柔軟に動作させることが可能となる。具体的には、例えば、スモールセル２０の複数の周波数帯域のうちの一部の周波数帯域について十分な効果（例えば、トラフィックのオフローディング）が望めない場合に、当該一部の周波数帯域について、スモール基地局２００−１を停止させ、又は省電力で動作させることができる。その結果、スモール基地局２００−１の消費電力がより低減され得る。また、スモール基地局２００−１に起因する干渉も低減され得る。
【００８８】
なお、キャリアアグリゲーションのケースでも、周波数帯域（例えば、ＣＣ）ごとに上記動作モードが切替えられるのではなく、スモール基地局２００−１ごとに上記動作モードが切替えられてもよい。以下、この点について、図６を参照して具体例を説明する。
【００８９】
図６は、スモール基地局単位での動作モードの第１の切替えの例を説明するための説明図である。図６の例でも、例えば図５の例と同様に、各端末装置３００−１は、マクロセル１０、スモールセル２０Ａ、スモールセル２０Ｂ及びスモールセル２０Ｃの各々について、ＣＣごとに測定を行い、ＣＣごとの測定の結果を報告する。そして、例えば、スモールセル２０Ｂ（セルＩＤ：＃３）のＣＣ  ＃１〜＃３のいずれについても、ＲＳＲＰの平均値が閾値未満である。あるいは、スモールセル２０Ｂ（セルＩＤ：＃３）のＣＣ  ＃１〜＃３のいずれについても、ＲＳＲＰがＲＳＲＰ＿５０以上である端末装置３００−１の数が、所定数以下である。この場合に、スモール基地局２００−１Ｂの動作モードを上記第１のモード（通常モード）から上記第２のモード（例えば、停止モード又は省電力モード）に切り替えることが決定される。その後、スモール基地局２００−１Ｂ全体の動作モード（即ち、ＣＣ  ＃１〜＃３についての動作モード）が、上記第２のモードに切替えられる。
【００９０】
−ハンドオーバ先の決定
キャリアアグリゲーションのケースでは、例えば、制御部１５５は、上記ハンドオーバ先として、別のセル（又は別の基地局）を決定する代わりに、同一のスモールセル（又は同一のスモール基地局２００−１）の別の周波数帯域（例えば、ＣＣ）を決定してもよい。なお、キャリアアグリゲーションのケースでのハンドオーバは、例えば、プライマリコンポーネントキャリア（ＰＣＣ：Primary  Component  Carrier）のハンドオーバである。
【００９１】
＜２．３．第２のモードから第１のモードへの動作モードの切替え（第２の切替え）＞
上述したように、例えば、上記切替えは、上記第２のモード（例えば、停止モード又は省電力モード）から上記第１のモード（例えば、通常モード）への上記動作モードの切替え（以下、「第２の切替え」と呼ぶ）である。以下、このような第２の切替えのケースにおけるマクロ基地局１００の動作を具体的に説明する。
【００９２】
（要求部１５１）
−要求
−−要求の内容
上記第２の切替えのケースでは、要求部１５１は、マクロセル１０、及び／又は、動作モードが上記第１のモードである１つ以上のスモール基地局２００−１のスモールセル２０を、測定対象として指定する。その結果、各端末装置３００−１は、マクロセル１０及び／又は上記スモールセル２０についての測定の結果を報告する。
【００９３】
より具体的には、例えば、要求部１５１は、マクロセル１０と、動作モードが上記第１のモードである全てのスモール基地局２００−１のスモールセル２０とを、測定対象として指定する。その結果、各端末装置３００−１は、マクロセル１０及び上記スモールセル２０についての測定の結果を報告する。
【００９４】
（情報取得部１５３）
情報取得部１５３は、端末装置３００−１による測定の結果を取得する。上記第２の切替えのケースでは、例えば、当該測定の当該結果は、動作モードが上記第２のモード（例えば、停止モード又は省電力モード）であるスモール基地局２００−１のスモールセル２０以外の１つ以上の別のセルについての測定の結果を含む。即ち、上記測定の上記結果は、動作モードが上記第１のモード（例えば、通常モード）である１つ以上のスモール基地局２００−１のスモールセルについての測定の結果を含む。
【００９５】
−測定対象のセル
例えば、上述したように、各端末装置３００−１は、マクロセル１０、及び／又は、動作モードが上記第１のモードである１つ以上のスモール基地局２００−１のスモールセル２０についての、測定の結果を報告する。この場合に、情報取得部１５３は、マクロセル１０及び／又は当該スモールセル２０についての測定の結果を取得する。
【００９６】
より具体的には、例えば、上述したように、各端末装置３００−１は、マクロセル１０と、動作モードが上記第１のモードである全てのスモール基地局２００−１のスモールセル２０とについての、測定の結果を報告する。この場合に、情報取得部１５３は、マクロセル１０及び当該スモールセル２０についての測定の結果を取得する。
【００９７】
−測定主体である端末装置
上述したように、例えば、マクロセル１０内に位置し、いずれかの基地局に接続されている全ての端末装置３００−１が、測定の結果を報告する。この場合に、情報取得部１５３は、上記全ての端末装置３００−１による測定の結果を取得する。
【００９８】
−測定の結果の具体例
以下、取得される測定の結果の具体例を図７及び図８を参照して説明する。
【００９９】
図７は、マクロセル１０における端末装置３００−１の配置の例を説明するための説明図である。図７を参照すると、セルＩＤが＃１であるマクロ基地局１００−１と、セルＩＤが＃２〜＃４である３つのスモール基地局２００−１Ａ〜２００−１Ｃとが示されている。この例では、マクロ基地局１００−１、スモール基地局２００−１Ａ、及びスモール基地局２００−１Ｃは、通常モード（第１のモード）で動作している。一方、スモール基地局２００−１Ｂは、停止モード又は省電力モード（第２のモード）で動作している。さらに、端末ＩＤが＃１〜＃１１である１１個の端末装置３００−１Ａ〜３００−１Ｋも示されている。この例では、端末ＩＤが＃１〜＃３、＃１０、＃１１である５つの端末装置３００−１Ａ〜３００−１Ｃ、３００−１Ｊ、３００−１Ｋは、マクロ基地局１００−１に接続され、マクロセル１０での無線通信を行っている。また、端末ＩＤが＃４〜＃６である３つの端末装置３００−１Ｄ〜３００−１Ｆは、セルＩＤが＃２であるスモール基地局２００−１Ａに接続され、スモールセル２０Ａでの無線通信を行っている。また、端末ＩＤが＃７〜＃９である３つの端末装置３００−１Ｇ〜３００−１Ｉは、セルＩＤが＃４であるスモール基地局２００−１Ｃに接続され、スモールセル２０Ｃでの無線通信を行っている。
【０１００】
図８は、端末装置３００−１による測定の結果の具体例を説明するための説明図である。図８の例は、図７のように端末装置３００−１が配置されている場合の測定の結果の例である。図８を参照すると、端末ＩＤが＃１〜＃１１である１１個の端末装置による３つのセル（即ち、セルＩＤが＃１であるマクロセル１０、及びセルＩＤが＃２、＃４であるスモールセル２０Ａ、２０Ｃ）についての測定の結果が示されている。この例では、測定の結果は、ＲＳＲＰである。上述したように、ＲＳＲＰ＿００は、−１４０ｄＢｍ未満のＲＳＲＰを示し、ＲＳＲＰ＿Ｎ（Ｎ≧１）は、｛−１４０−（Ｎ−１）｝ｄＢｍ以上、（−１４０−Ｎ）ｄＢｍ未満のＲＳＲＰを示す。例えば、ＲＳＲＰ＿０１は、−１４０ｄＢｍ以上且つ−１３９ｄＢｍ未満のＲＳＲＰを示す。
【０１０１】
（制御部１５５）
−切替えの種類
上記第２の切替えのケースでは、上記切替えは、上記第２のモード（例えば、停止モード又は省電力モード）から上記第１のモード（例えば、通常モード）への上記動作モードの切替え（即ち、第２の切替え）である。
【０１０２】
−切替えの制御
−−切替えの決定
例えば、制御部１５５は、端末装置３００−１による測定の結果に基づいて、上記第２の切替え（即ち、上記第２のモードから上記第１のモードへの上記動作モードの切替え）を行うことを決定する。
【０１０３】
具体的には、例えば、制御部１５５は、マクロセル１０内に位置し且ついずれかの基地局に接続されている全ての端末装置３００−１による測定の結果に基づいて、動作モードが上記第２のモード（例えば、停止モード又は省電力モード）であるいずれかのスモール基地局２００−１の上記第２の切替えを行うことを決定する。
【０１０４】
第１の例として、制御部１５５は、いずれかの端末装置３００−１について、測定対象のいずれのセルについてのＲＳＲＰも所定の閾値以下である場合に、動作モードが上記第２のモードであるいずれかのスモール基地局２００−１について上記第２の切替えを行うことを決定する。即ち、制御部１５５は、いずれのセルにおいても十分な通信品質を得られない端末装置３００−１が存在する場合に、動作モードが上記第２のモード（停止モード又は省電力モード）であるいずれかのスモール基地局２００−１について上記第２の切替え（例えば、停止モード又は省電力モードから通常モードへの切替え）を行うことを決定する。これにより、上記端末装置３００−１が、動作モードが第１のモードに切り替えられたスモール基地局２００−１により、十分な通信品質を得られる可能性がある。なお、上記所定の閾値は、任意の値であってもよく、時間軸において動的に変化してもよい。
【０１０５】
具体例として、図７及び図８の例を再び参照すると、例えば、４つの端末装置３００−１（端末ＩＤ：＃１、＃２、＃１０、＃１１）については、マクロセル１０及びスモールセル２０Ａ、２０Ｃ（セルＩＤ：＃１、＃２、＃４）のいずれについてのＲＳＲＰも、所定の閾値（例えば、ＲＳＲＰ＿３５）以下である。そのため、制御部１５５は、スモール基地局２００−１Ｂについて上記第２の切替え（例えば、停止モード又は省電力モードから通常モードへの切替え）を行うことを決定する。
【０１０６】
第２の例として、制御部１５５は、所定数以上の数の端末装置３００−１について、測定対象のいずれのセルについてのＲＳＲＰも所定の閾値以下である場合に、動作モードが上記第２のモードであるいずれかのスモール基地局２００−１について上記第２の切替えを行うことを決定する。即ち、いずれのセルにおいても十分な通信品質を得られない端末装置３００−１の数が多い場合に、動作モードが上記第２のモード（停止モード又は省電力モード）であるいずれかのスモール基地局２００−１について上記第２の切替え（例えば、停止モード又は省電力モードから通常モードへの切替え）を行うことを決定する。これにより、上記端末装置３００−１が、動作モードが第１のモードに切り替えられたスモール基地局２００−１により、十分な通信品質を得られる可能性がある。なお、所定数は、任意の数であってもよく、時間軸において動的に変化してもよい。また、上記所定の閾値も、任意の値であってもよく、時間軸において動的に変化してもよい。
【０１０７】
具体例として、図７及び図８の例を再び参照すると、例えば、所定数（例えば、３）以上の数（即ち、４）の端末装置３００−１（端末ＩＤ：＃１、＃２、＃１０、＃１１）について、マクロセル１０及びスモールセル２０Ａ、２０Ｃ（セルＩＤ：＃１、＃２、＃４）のいずれについてのＲＳＲＰも、所定の閾値（例えば、ＲＳＲＰ＿３５）以下である。そのため、制御部１５５は、スモール基地局２００−１Ｂについて上記第２の切替え（例えば、停止モード又は省電力モードから通常モードへの切替え）を行うことを決定する。
【０１０８】
以上、上記測定の上記結果がＲＳＲＰである例を説明したが、当然ながら、上記測定の上記結果は、ＲＳＲＰ以外のものであってもよい。例えば、上記測定の上記結果は、ＲＳＣＰ、ＲＳＲＱ、ＳＩＮＲ、Ｅｃ／Ｎｏ、Ｅｃ／Ｉｏ、ＣＱＩ、ＤＲＣ、又は、これら任意の複数の組み合わせで算出される指標であってもよい。
【０１０９】
また、いずれかの基地局に接続されている全ての端末装置３００−１による測定の結果に基づいて、上記第２の切替えを行うことが決定される、という例を説明したが、上記第２の切替えの決定は係る例に限られない。例えば、上記全ての端末装置３００−１のうちの一部の端末装置３００−１による測定の結果に基づいて、上記第２の切替えを行うことが決定されてもよい。
【０１１０】
−−切替えのトリガ
例えば、制御部１５５は、上記第２の切替えを行うことが決定された場合に、スモール基地局２００−１による上記第２の切替え（即ち、上記第２のモードから上記第１のモードへの上記動作モードの切替え）をトリガする。具体的には、例えば、制御部１５５は、ネットワーク通信部１３０を介して、スモール基地局２００−１に、上記第２の切替えを指示する。
【０１１１】
例えば以上のように、上記第２の切替え（即ち、上記第２のモードから上記第１のモードへの上記動作モードの切替え）が制御される。これにより、例えば、スモール基地局を状況に応じて柔軟に動作させることを可能になる。
【０１１２】
より具体的には、例えば、スモールセル２０内に存在する端末が他のセル（例えば、マクロセル）で良好に通信できていなければ、スモール基地局２００−１が通信を再開する。これにより、上記端末がスモールセル２０で良好に通信できるようになり得る。一方、スモールセル２０内に端末が存在したとしても、当該端末が他のセル（例えば、マクロセル）で良好に通信できていれば、スモール基地局２００−１は、継続して停止し又は省電力で動作することができる。その結果、スモール基地局２００−１の消費電力がより低減され得る。また、スモール基地局２００−１に起因する干渉も低減され得る。
【０１１３】
（キャリアアグリゲーションのケース）
例えば、マクロ基地局１００−１及び／又はスモール基地局２００−１、並びに、端末装置３００−１は、キャリアアグリゲーションをサポートし得る。即ち、マクロ基地局１００−１及び／又はスモール基地局２００−１は、複数の周波数帯域を使用して、１つの端末装置３００−１との無線通信を行い得る。また、端末装置３００−１は、複数の周波数帯域を使用して、マクロ基地局１００−１又はスモール基地局２００−１との無線通信を行い得る。上記複数の周波数帯域の各々は、例えば、コンポーネントキャリア（ＣＣ）である。
【０１１４】
−測定
キャリアアグリゲーションのケースでは、例えば、端末装置３００−１による測定の結果は、複数の周波数帯域（例えば、複数のＣＣ）の各々についての測定の結果を含む。例えば、３つのＣＣが使用される場合に、端末装置３００−１による上記測定の上記結果は、当該３つのＣＣの各々についての測定の結果を含む。なお、前述のＲＲＣ接続再構成メッセージは、測定対象として各ＣＣの情報を含んでいてもよい。
【０１１５】
−動作モードの切替え
キャリアアグリゲーションのケースでは、スモール基地局２００−１の上記動作モードの上記第２の切替えは、例えば、周波数帯域（例えば、ＣＣ）単位での切替えである。即ち、スモール基地局２００−１の上記動作モードは、スモール基地局２００−１単位ではなく、スモール基地局２００−１が使用する周波数帯域（例えば、ＣＣ）単位で、上記第２のモードから上記第１のモードに切替えられる。以下、この点について、図９を参照して具体例を説明する。
【０１１６】
図９は、コンポーネントキャリア（ＣＣ）単位での動作モードの第２の切替えの例を説明するための説明図である。図９を参照すると、マクロセル１０（セルＩＤ：＃１）、スモールセル２０Ａ（セルＩＤ：＃２）、及びスモールセル２０Ｃ（セルＩＤ：＃４）の各々で使用される３つのＣＣ（ＣＣ  ＃１〜＃３）が示されている。この例では当該３つのセルのいずれでも３つのＣＣついての動作モードが上記第１のモード（通常モード）である。一方、スモールセル２０Ｂ（セルＩＤ：＃３）では３つのＣＣのいずれについての動作モードも上記第２のモード（停止モード又は省電力モード）である。この場合に、各端末装置３００−１は、マクロセル１０、スモールセル２０Ａ及びスモールセル２０Ｃの各々について、ＣＣごとに測定を行い、ＣＣごとの測定の結果を報告する。一例として、当該測定の当該結果は、ＲＳＲＰである。そして、例えば、いずれかの端末装置３００−１について、マクロセル１０、スモールセル２０Ａ及びスモールセル２０ＣのいずれについてのＲＳＲＰも所定の閾値以下である。あるいは、所定数以上の数の端末装置３００−１について、マクロセル１０、スモールセル２０Ａ及びスモールセル２０ＣのいずれについてのＲＳＲＰも所定の閾値以下である。この場合に、スモール基地局２００−１Ｂの１つのＣＣ（例えば、ＣＣ  ＃１）についての動作モードを、上記第２のモード（例えば、停止モード又は省電力モード）から上記第１のモード（通常モード）に切り替えることが決定される。その後、スモール基地局２００−１ＢのＣＣ  ＃１についての動作モードが、第１のモードに切替えられる。
【０１１７】
このような周波数帯域（例えば、ＣＣ）単位での切替えにより、例えば、スモール基地局２００−１をさらに柔軟に動作させることが可能となる。具体的には、例えば、スモール基地局２００−１は、スモールセル２０の複数の周波数帯域の全てにおいて通信を再開する代わりに、当該複数の周波数帯域の一部において通信を再開することができる。その結果、スモール基地局２００−１の消費電力がより低減され得る。また、スモール基地局２００−１に起因する干渉も低減され得る。
【０１１８】
なお、キャリアアグリゲーションのケースでも、周波数帯域（例えば、ＣＣ）ごとに上記動作モードが切替えられるのではなく、スモール基地局２００−１ごとに上記動作モードが切替えられてもよい。以下、この点について、図１０を参照して具体例を説明する。
【０１１９】
図１０は、スモール基地局単位での動作モードの第２の切替えの例を説明するための説明図である。図１０の例でも、例えば図９の例と同様に、各端末装置３００−１は、マクロセル１０、スモールセル２０Ａ及びスモールセル２０Ｃの各々について、ＣＣごとに測定を行い、ＣＣごとの測定の結果を報告する。そして、例えば、いずれかの端末装置３００−１について、マクロセル１０、スモールセル２０Ａ及びスモールセル２０ＣのいずれについてのＲＳＲＰも所定の閾値以下である。あるいは、所定数以上の数の端末装置３００−１について、マクロセル１０、スモールセル２０Ａ及びスモールセル２０ＣのいずれについてのＲＳＲＰも所定の閾値以下である。この場合に、スモール基地局２００−１Ｂの動作モードを上記第２のモード（例えば、停止モード又は省電力モード）から上記第１のモード（通常モード）に切り替えることが決定される。その後、スモール基地局２００−１Ｂ全体の動作モード（即ち、ＣＣ  ＃１〜＃３についての動作モード）が、上記第１のモードに切替えられる。
【０１２０】
＜２．４．処理の流れ＞
次に、図１１及び図１２を参照して、第１の実施形態に係る通信制御処理の例を説明する。
【０１２１】
（第１の切替え）
図１１は、第１の実施形態に係る通信制御処理の概略的な流れの第１の例を示すシーケンス図である。当該第１の例は、上記第１の切替え（即ち、上記第１のモードから上記第２のモードへの切替え）のための通信制御処理の例である。
【０１２２】
マクロ基地局１００−１は、各スモール基地局２００−１に、自身に接続されている各端末装置３００−１による測定の結果の提供を要求する（Ｓ５０１）。すると、各スモール基地局２００−１は、自身に接続されている各端末装置３００−１に、測定の結果の報告を要求する（Ｓ５０３）。そして、各端末装置３００−１は、スモール基地局２００−１に測定の結果を報告する（Ｓ５０５）。その後、各スモール基地局２００−１は、当該測定の当該結果をマクロ基地局１００−１に提供する（Ｓ５０７）。
【０１２３】
また、マクロ基地局１００−１は、自身に接続されている各端末装置３００−１に、測定の結果の報告を要求する（Ｓ５０９）。すると、各端末装置３００−１は、マクロ基地局１００−１に測定の結果を報告する（Ｓ５１１）。
【０１２４】
そして、マクロ基地局１００−１は、各端末装置３００−１による測定の結果に基づいて、例えば、動作モードが第１のモード（例えば、通常モード）であるいずれかのスモール基地局２００−１について第１の切替えを行うことを決定する（Ｓ５１３）。例えば、１つ以上のスモール基地局２００−１について上記第１の切替えを行うことが決定される。上記第１の切替えは、上記第１のモード（例えば、通常モード）から第２のモード（例えば、停止モード又は省電力モード）への動作モードの切替えである。
【０１２５】
また、マクロ基地局１００−１は、上記１つ以上のスモール基地局２００−１に接続されている各端末装置３００−１による測定の結果に基づいて、各端末装置３００−１のハンドオーバ先を決定する（Ｓ５１５）。そして、ハンドオーバ手続きが行われる（Ｓ５１７）。
【０１２６】
その後、マクロ基地局１００−１は、上記１つ以上のスモール基地局２００−１の各々に上記第１の切替えを指示する（Ｓ５１９）。そして、上記１つ以上のスモール基地局２００−１の各々は、動作モードを上記第１のモード（例えば、通常モード）から上記第２のモード（例えば、停止モード又は省電力モード）に切り替える（Ｓ５２１）。
【０１２７】
（第２の切替え）
図１２は、第１の実施形態に係る通信制御処理の概略的な流れの第２の例を示すフローチャートである。当該第２の例は、上記第２の切替え（即ち、上記第２のモードから上記第１のモードへの切替え）のための通信制御処理の例である。
【０１２８】
マクロ基地局１００−１は、各スモール基地局２００−１に、自身に接続されている各端末装置３００−１による測定の結果の提供を要求する（Ｓ５３１）。すると、各スモール基地局２００−１は、自身に接続されている各端末装置３００−１に、測定の結果の報告を要求する（Ｓ５３３）。そして、各端末装置３００−１は、スモール基地局２００−１に測定の結果を報告する（Ｓ５３５）。その後、各スモール基地局２００−１は、当該測定の当該結果をマクロ基地局１００−１に提供する（Ｓ５３７）。
【０１２９】
また、マクロ基地局１００−１は、自身に接続されている各端末装置３００−１に、測定の結果の報告を要求する（Ｓ５３９）。すると、各端末装置３００−１は、マクロ基地局１００−１に測定の結果を報告する（Ｓ５４１）。
【０１３０】
そして、マクロ基地局１００−１は、各端末装置３００−１による測定の結果に基づいて、例えば、動作モードが第２のモード（例えば、停止モード又は省電力モード）であるいずれかのスモール基地局２００−１について第２の切替えを行うことを決定する（Ｓ５４３）。例えば、１つ以上のスモール基地局２００−１について上記第２の切替えを行うことが決定される。上記第２の切替えは、上記第２のモード（例えば、停止モード又は省電力モード）から第１のモード（例えば、通常モード）への動作モードの切替えである。
【０１３１】
その後、マクロ基地局１００−１は、上記１つ以上のスモール基地局２００−１の各々に上記第２の切替えを指示する（Ｓ５４５）。そして、上記１つ以上のスモール基地局２００−１の各々は、動作モードを上記第２のモード（例えば、停止モード又は省電力モード）から上記第１のモード（例えば、通常モード）に切り替える（Ｓ５４７）。
【０１３２】
＜２．５．第１の変形例＞
次に、図１３及び図１４を参照して、第１の実施形態の第１の変形例を説明する。
【０１３３】
第１の実施形態では、上述したように、例えば、スモールセル２０において制御信号及びデータ信号が送受信される。即ち、スモールセル２０は、制御プレーンの信号（制御信号）及びユーザプレーンの信号（データ信号）の両方を送受信する。
【０１３４】
一方、第１の実施形態の第１の変形例では、スモールセル２０では、データ信号のみが送受信され、制御信号は送受信されない。そのため、スモールセル２０に関連する制御信号は、マクロ基地局１００−１により送受信される。
【０１３５】
例えば、第１の変形例では、キャリアアグリゲーションがサポートされ、端末装置３００−１は、ＰＣＣを使用してマクロ基地局１００−１と通信し、セカンダリコンポーネントキャリア（ＳＣＣ：Secondary  Component  Carrier）を使用してスモール基地局２００−１と通信する。即ち、端末装置３００−１は、ＰＣＣを介してマクロ基地局１００−１に接続されつつ、ＳＣＣを介してスモール基地局２００−１に接続される。
【０１３６】
（マクロ基地局１００−１：要求部１５１）
−要求
−−要求の手法
第１の実施形態の第１の変形例では、要求部１５１は、無線通信部１２０を介して、１つ以上の端末装置３００−１に測定の結果の報告を要求する。すると、当該１つ以上の端末装置３００−１は、マクロ基地局１００−１に測定の結果を報告する。その後、上記測定の上記結果は、記憶部１４０に記憶される。
【０１３７】
より具体的には、例えば、要求部１５１は、無線通信部１２０を介して、各端末装置３００−１に、測定の結果の報告を要求する。その結果、各端末装置３００−１は、測定の結果をマクロ基地局１００−１に報告する。
【０１３８】
（処理の流れ：第１の切替え）
図１３は、第１の実施形態の第１の変形例に係る通信制御処理の概略的な流れの第１の例を示すシーケンス図である。当該第１の例は、上記第１の切替え（即ち、上記第１のモードから上記第２のモードへの切替え）のための通信制御処理の例である。
【０１３９】
マクロ基地局１００−１は、各端末装置３００−１に、測定の結果の報告を要求する（Ｓ５５１）。すると、各端末装置３００−１は、マクロ基地局１００−１に測定の結果を報告する（Ｓ５５３）。
【０１４０】
そして、マクロ基地局１００−１は、各端末装置３００−１による測定の結果に基づいて、例えば、動作モードが第１のモード（例えば、通常モード）であるいずれかのスモール基地局２００−１について第１の切替えを行うことを決定する（Ｓ５５５）。例えば、１つ以上のスモール基地局２００−１について上記第１の切替えを行うことが決定される。上記第１の切替えは、上記第１のモード（例えば、通常モード）から第２のモード（例えば、停止モード又は省電力モード）への動作モードの切替えである。
【０１４１】
その後、マクロ基地局１００−１は、上記１つ以上のスモール基地局２００−１の各々に上記第１の切替えを指示する（Ｓ５５７）。そして、上記１つ以上のスモール基地局２００−１の各々は、動作モードを上記第１のモード（例えば、通常モード）から上記第２のモード（例えば、停止モード又は省電力モード）に切り替える（Ｓ５５９）。
【０１４２】
なお、上記第１の切替えが行われる前に、上記１つ以上のスモール基地局２００−１の各々に接続される各端末装置３００−１のハンドオーバ先が決定され、ハンドオーバ手続きが行われてもよい。また、ここでのハンドオーバは、ＳＣＣの追加及び削除の組合せによるＳＣＣのハンドオーバであってもよい。即ち、当該ハンドオーバは、使用されているＳＣＣの削除とハンドオーバ先のＳＣＣの追加との組合せによるＳＣＣのハンドオーバであってもよい。ハンドオーバ先のＳＣＣは、別のスモール基地局２００−１（動作モードが切替えられるスモール基地局２００−１以外のスモール基地局２００−１）のＣＣであってもよく、同一のスモール基地局２００−１（動作モードが切替えられるスモール基地局２００−１）の別のＣＣであってもよい。
【０１４３】
（処理の流れ：第２の切替え）
図１４は、第１の実施形態の第１の変形例に係る通信制御処理の概略的な流れの第２の例を示すシーケンス図である。当該第２の例は、上記第２の切替え（即ち、上記第２のモードから上記第１のモードへの切替え）のための通信制御処理の例である。
【０１４４】
マクロ基地局１００−１は、各端末装置３００−１に、測定の結果の報告を要求する（Ｓ５７１）。すると、各端末装置３００−１は、マクロ基地局１００−１に測定の結果を報告する（Ｓ５７３）。
【０１４５】
そして、マクロ基地局１００−１は、各端末装置３００−１による測定の結果に基づいて、例えば、動作モードが第２のモード（例えば、停止モード又は省電力モード）であるいずれかのスモール基地局２００−１について第２の切替えを行うことを決定する（Ｓ５７５）。例えば、１つ以上のスモール基地局２００−１について上記第２の切替えを行うことが決定される。上記第２の切替えは、第２のモード（例えば、停止モード又は省電力モード）から上記第１のモード（例えば、通常モード）への動作モードの切替えである。
【０１４６】
その後、マクロ基地局１００−１は、上記１つ以上のスモール基地局２００−１の各々に上記第２の切替えを指示する（Ｓ５７７）。そして、上記１つ以上のスモール基地局２００−１の各々は、動作モードを上記第２のモード（例えば、停止モード又は省電力モード）から上記第１のモード（例えば、通常モード）に切り替える（Ｓ５７９）。
【０１４７】
＜２．６．第２の変形例＞
次に、第１の実施形態の第２の変形例を説明する。
【０１４８】
第１の実施形態では、上述したように、例えば、マクロ基地局１００−１が、要求部１５１、情報取得部１５３及び制御部１５５を備える。
【０１４９】
一方、第１の実施形態の第２の変形例では、マクロ基地局１００−１の代わりに、制御エンティティ４００−１が、情報取得部１５３及び制御部１５５を備える。また、第２の変形例では、例えば、マクロ基地局１００−１の代わりに、制御エンティティ４００−１が、要求部１５１もさらに備える。
【０１５０】
（制御エンティティ４００−１：要求部１５１）
第２の変形例では、例えば、制御エンティティ４００−１が要求部１５１を備える。この場合に、制御エンティティ４００−１の要求部１５１は、例えば、マクロ基地局１００−１及び／又はスモール基地局２００−１に、端末装置３００−１による測定の結果の提供を要求する。
【０１５１】
具体的には、例えば、要求部１５１は、マクロ基地局１００−１に、端末装置３００−１による測定の結果の提供を要求する。すると、マクロ基地局１００−１は、端末装置３００−１に測定の結果の報告を要求し、又はスモール基地局２００−１に端末装置３００−１による測定の結果の提供を要求する。そして、マクロ基地局１００−１は、端末装置３００−１による測定の結果を取得し、当該測定の当該結果を制御エンティティ４００−１に提供する。
【０１５２】
また、例えば、要求部１５１は、スモール基地局２００−１に、端末装置３００−１による測定の結果の提供を要求する。すると、スモール基地局２００−１は、端末装置３００−１に測定の結果の報告を要求する。そして、スモール基地局２００−１は、端末装置３００−１による測定の結果を取得し、当該測定の当該結果を制御エンティティ４００−１に提供する。
【０１５３】
（制御エンティティ４００−１：情報取得部１５３）
第２の変形例では、制御エンティティ４００−１が情報取得部１５３を備える。この場合に、端末装置３００−１による測定の結果が、マクロ基地局１００−１又はスモール基地局２００−１により制御エンティティ４００−１に提供され、制御エンティティ４００−１において記憶される。そして、制御エンティティ４００−１の情報取得部１５３は、端末装置３００−１による上記測定の上記結果を取得する。
【０１５４】
（制御エンティティ４００−１：制御部１５５）
第２の変形例では、制御エンティティ４００−１が制御部１５５を備える。この場合に、例えば、制御エンティティ４００−１の制御部１５５が、端末装置３００−１による上記測定の上記結果に基づいて、スモール基地局２００−１の動作モードの切替えを行うことを決定する。また、例えば、制御エンティティ４００−１の制御部１５５が、上記切替えをトリガする。具体的には、例えば、制御エンティティ４００−１の制御部１５５は、マクロ基地局１００−１を介して又は直接的に、スモール基地局２００−１に上記切替えを指示する。
【０１５５】
（処理の流れ）
第１の実施形態の第２の変形例に係る通信制御処理では、例えば、制御エンティティ４００−１が、マクロ基地局１００−１及びスモール基地局２００−１に、端末装置３００−１による測定の結果の提供を要求する。また、制御エンティティ４００−１が、端末装置３００−１による測定の結果を最終的に取得する。そして、マクロ基地局１００−１ではなく、制御エンティティ４００−１が、スモール基地局２００−１の動作モードの切替えを決定し、マクロ基地局１００−１を介して又は直接的にスモール基地局２００−１に上記切替えを指示する。これらの点を除き、第２の変形例に係る通信制御処理は、図１１〜図１４を参照して説明したとおりである。
【０１５６】
以上、第１の実施形態の第２の変形例を説明した。なお、第２の変形例において、制御エンティティ４００−１が要求部１５１を備える例を説明したが、第２の変形例は係る例に限定されない。例えば、要求部１５１は、制御エンティティ４００−１の代わりに、マクロ基地局１００−１又はスモール基地局２００−１により備えられてもよい。
【０１５７】
＜２．７．第３の変形例＞
次に、図１５を参照して、第１の実施形態の第３の変形例を説明する。
【０１５８】
第１の実施形態では、上述したように、例えば、マクロ基地局１００−１が、要求部１５１、情報取得部１５３及び制御部１５５を備える。
【０１５９】
一方、第１の実施形態の第３の変形例では、マクロ基地局１００−１の代わりに、スモール基地局２００−１が、情報取得部１５３及び制御部１５５を備える。また、第３の変形例では、例えば、マクロ基地局１００−１の代わりに、スモール基地局２００−１が、要求部１５１もさらに備える。
【０１６０】
（スモール基地局基地局２００−１：要求部１５１）
第３の変形例では、例えば、スモール基地局２００−１が要求部１５１を備える。この場合に、スモール基地局２００−１の要求部１５１は、例えば、スモール基地局２００−１に接続されている端末装置３００−１に、測定の結果の報告を要求する。そして、当該端末装置３００−１は、スモール基地局２００−１に測定の結果を報告する。
【０１６１】
（スモール基地局基地局２００−１：情報取得部１５３）
第３の変形例では、スモール基地局２００−１が情報取得部１５３を備える。この場合に、例えば、スモール基地局２００−１に接続されている端末装置３００−１による測定の結果が、端末装置３００−１によりスモール基地局２００−１に報告され、スモール基地局２００−１において記憶される。そして、スモール基地局２００−１の情報取得部１５３は、スモール基地局２００−１に接続されている端末装置３００−１による上記測定の上記結果を取得する。
【０１６２】
（スモール基地局基地局２００−１：制御部１５５）
第３の変形例では、スモール基地局２００−１が制御部１５５を備える。この場合に、例えば、スモール基地局２００−１の制御部１５５が、端末装置３００−１による上記測定の上記結果に基づいて、当該スモール基地局２００−１の動作モードの切替えを行うことを決定する。また、例えば、スモール基地局２００−１の制御部１５５が、上記切替えをトリガする。具体的には、例えば、スモール基地局２００−１の制御部１５５は、当該スモール基地局２００−１の動作モードの切替えを行う機能に、上記切替えを指示する。その結果、当該機能は、上記切替えを行う。
【０１６３】
なお、第３の変形例では、例えば、上記切替えは、上記第１のモード（例えば、通常モード）から上記第２のモード（例えば、停止モード又は省電力モード）への切替え（即ち、上記第１の切替え）である。
【０１６４】
（処理の流れ：第１の切替え）
図１５は、第１の実施形態の第３の変形例に係る通信制御処理の概略的な流れの一例を示すシーケンス図である。この例は、上記第１の切替え（即ち、上記第１のモードから上記第２のモードへの切替え）のための通信制御処理の例である。
【０１６５】
スモール基地局２００−１は、スモール基地局２００−１に接続されている各端末装置３００−１に、測定の結果の報告を要求する（Ｓ５８１）。すると、スモール基地局２００−１に接続されている各端末装置３００−１は、スモール基地局２００−１に測定の結果を報告する（Ｓ５８３）。
【０１６６】
そして、スモール基地局２００−１は、スモール基地局２００−１に接続されている各端末装置３００−１による測定の結果に基づいて、例えば、スモール基地局２００−１について第１の切替えを行うことを決定する（Ｓ５８５）。
【０１６７】
また、スモール基地局２００−１は、スモール基地局２００−１に接続されている各端末装置３００−１による測定の結果に基づいて、各端末装置３００−１のハンドオーバ先を決定する（Ｓ５８７）。そして、ハンドオーバ手続きが行われる（Ｓ５８９）。
【０１６８】
その後、スモール基地局２００−１は、動作モードを上記第１のモード（例えば、通常モード）から上記第２のモード（例えば、停止モード又は省電力モード）に切り替える（Ｓ５９１）。
【０１６９】
以上、第１の実施形態の第３変形例を説明した。なお、第３の変形例において、スモール基地局２００−１が要求部１５１を備える例を説明したが、第２の変形例は係る例に限定されない。例えば、要求部１５１は、スモール基地局２００−１の代わりに、マクロ基地局１００−１又は制御エンティティ４００−１により備えられてもよい。
【０１７０】
以上、第１の実施形態を説明した。上述したように、第１の実施形態では、端末装置３００−１による測定の結果に基づいてスモール基地局２００の動作モードの切替えの制御が行われる。なお、第１の実施形態では、上記測定の上記結果に加えて、別の情報にさらに基づいて、上記制御が行われてもよい。例えば、上記測定の上記結果に加えて、マクロセル１０における通信の状況（例えば、トラフィック、又は接続される端末数など）にさらに基づいて、上記制御が行われてもよい。一例として、オフローディングの必要性が低い（例えば、マクロセル１０のトラフィックが少ない、又はマクロセル１０において接続される端末数が少ないなど）場合に限り、スモール基地局２００−１の動作モードの第２のモード（停止モード又は省電力モード）への切替えが行われてもよい。別の例として、オフローディングの必要性が高い（例えば、マクロセル１０のトラフィックが多い、又はマクロセル１０において接続される端末数が多いなど）場合に限り、スモール基地局２００−１の動作モードの第１のモード（通常モード）への切替えが行われてもよい。
【０１７１】
＜＜３．第２の実施形態＞＞
続いて、図１６〜図１９を参照して、本開示の第２の実施形態を説明する。
【０１７２】
本開示の第２の実施形態によれば、スモール基地局２００の動作モードが第１のモードから第２のモードへ切り替えられる前に、当該スモール基地局２００に接続されている端末装置３００による測定の結果の報告又は提供が要求される。上記第１のモードは、スモール基地局２００がスモールセル２０内の装置との無線通信を行うことが可能なモードであり、上記第２のモードは、上記第１のモードよりも消費電力が小さいモードである。
【０１７３】
また、本開示の第２の実施形態によれば、上記動作モードが上記第１のモードから上記第２のモードへ切り替えられる前に、スモール基地局２００に接続されている端末装置３００による測定の結果が取得され、当該測定の当該結果に基づいて当該端末装置３００のハンドオーバ先が決定される。
【０１７４】
これにより、例えば、スモール基地局２００を状況に応じて柔軟に動作させることを可能になる。その結果、スモール基地局２００の消費電力がより低減され得る。
【０１７５】
＜３．１．マクロ基地局の構成＞
まず、図１６を参照して、第２の実施形態に係るマクロ基地局１００−２の構成の一例を説明する。図１６は、第２の施形態に係るマクロ基地局１００−２の構成の一例を示すブロック図である。図１６を参照すると、マクロ基地局１００−２は、アンテナ部１１０、無線通信部１２０、ネットワーク通信部１３０、記憶部１４０及び処理部１６０を備える。
【０１７６】
なお、アンテナ部１１０、無線通信部１２０、ネットワーク通信部１３０及び記憶部１４０については、第１の実施形態と第２の実施形態との間で特段の差異はない。よって、ここでは、処理部１６０のみを説明する。
【０１７７】
（処理部１６０）
処理部１６０は、マクロ基地局１００−２の様々な機能を提供する。処理部１６０は、切替え認識部１６１、要求部１６３、情報取得部１６５及び制御部１６７を含む。
【０１７８】
（切替え認識部１６１）
切替え認識部１６１は、スモール基地局２００−２の動作モードが第１のモードから第２のモードへ切り替えられることを予め認識する。
【０１７９】
−第１のモード及び第２のモード
上記第１のモードは、スモール基地局２００−２がスモールセル２０内の装置との無線通信を行うことが可能なモードである。例えば、上記第１のモードは、スモール基地局２００−２が通常の無線通信を行う通常モードである。
【０１８０】
一方、上記第２のモードは、上記第１のモードよりも消費電力が小さいモードである。例えば、上記第２のモードは、少なくとも上記無線通信のための信号処理回路が連続的に又は不連続に停止するモードである。当該信号処理回路は、例えば、ＲＦ信号を処理するための信号処理回路、ベースバンド信号を処理するための信号処理回路、及びさらに上位層の信号処理回路のうちの、少なくとも１つ以上を含む。換言すると、当該第２のモードは、スモール基地局２００−２が連続的に又は不連続に無線通信を行わないモードである。例えば、上記第２のモードは、上記信号処理回路が連続的に停止する停止モード、又は上記信号処理回路が不連続に停止する省電力モードである。
【０１８１】
以上を踏まえると、例えば、切替え認識部１６１は、スモール基地局２００−２が上記通常モードから上記停止モード（又は省電力モード）へ切替えられることを予め認識する。
【０１８２】
−認識の手法
例えば、マクロ基地局１００−２（処理部１６０）が、上記第１のモードから上記第２のモードへの上記動作モードの切替えを行うことを決定する。すると、切替え認識部１６１は、上記動作モードが上記第１のモードから上記第２のモードへ切替えられることを予め認識する。
【０１８３】
なお、マクロ基地局１００−２の代わりに、別のノード（例えば、制御エンティティ４００−２）が、上記切替えを行うことを決定してもよい。この場合に、当該別のノードが、当該切替えをマクロ基地局１００−２に通知し又は指示し、切替え認識部１６１は、上記動作モードが上記第１のモードから上記第２のモードへ切り替えられることを予め認識してもよい。
【０１８４】
（要求部１６３）
要求部１６３は、スモール基地局２００−２の動作モードが上記第１のモードから上記第２のモードへ切り替えられる前に、当該スモール基地局２００−２に接続されている端末装置３００−２による測定の結果の報告又は提供を要求する。
【０１８５】
−測定
例えば、通信システム１は、ＬＴＥに従ったシステムである。この場合に、上記測定は、例えば、ＲＳＲＰの測定を含む。なお、上記測定は、ＲＳＲＱを含んでもよい。また、上記測定は、ＳＩＮＲ、及び／又はＣＱＩの測定を含んでもよい。
【０１８６】
別の例として、通信システム１は、ＵＭＴＳに従ったシステムであってもよい。この場合に、上記測定は、例えば、パイロット信号の受信強度であるＲＳＣＰの測定を含んでもよい。また、上記測定は、Ｅｃ／Ｎｏ、ＳＩＮＲ、及び／又はＣＱＩの測定を含んでもよい。
【０１８７】
さらに別の例として、通信システム１は、ＥＶ−ＤＯに従ったシステムであってもよい。この場合に、上記測定は、ＲＳＣＰ、Ｅｃ／Ｉｏの測定を含んでもよい。また、上記測定は、ＳＩＮＲ、及び／又はＤＲＣの測定を含んでもよい。
【０１８８】
なお、上記測定は、上述した第１〜第３の例に限られない。当然ながら、上記測定は、別の測定項目の測定であってもよい。一例として、上記測定は、上述した第１〜第３の例に係る測定項目と同等の指標の測定であってもよい。
【０１８９】
−要求
−−要求の手法
例えば、要求部１６３は、ネットワーク通信部１３０を介して、スモール基地局２００−２に、当該スモール基地局２００−２に接続されている端末装置３００−２による測定の結果の提供を要求する。すると、スモール基地局２００−２は、自身に接続されている１つ以上の端末装置３００−２に測定の結果の報告を要求し、当該１つ以上の端末装置３００−２は、スモール基地局２００−２に測定の結果を報告する。そして、スモール基地局２００−２は、当該測定の当該結果をマクロ基地局１００−２に提供する。その後、上記測定の上記結果は、記憶部１４０に記憶される。
【０１９０】
より具体的には、例えば、要求部１６３は、ネットワーク通信部１３０を介して、スモール基地局２００−２に、当該スモール基地局２００−２に接続されている各端末装置３００−２による測定の結果の提供を要求する。その結果、スモール基地局２００−２は、自身に接続されている各端末装置３００−２による測定の結果をマクロ基地局１００−２に提供する。なお、各端末装置３００−２による測定の結果は、マクロ基地局１００−２についての測定の結果及び／又は、端末装置３００−２が接続しているスモール基地局２００−２以外のスモール基地局２００−２についての測定の結果を含んでいてもよい。
【０１９１】
なお、スモール基地局２００−２による端末装置３００−２に対する要求は、例えば、ＲＲＣ接続再構成メッセージ（RRC  Connection  Reconfiguration  message）の端末装置３００−２への送信によって行われる。
【０１９２】
−−要求の内容
例えば、要求部１６３は、端末装置３００−２による測定の結果の提供又は報告を要求する際に、測定対象、測定項目及び／又は報告手法などを指定する。
【０１９３】
上記測定対象は、例えば、セル又は基地局である。例えば、報告又は提供の対象となる測定の結果は、動作モードが上記第１のモードから上記第２のモードに切替えられるスモール基地局２００−２のスモールセル２０以外の１つ以上の別のセルについての測定の結果を含む。具体的には、例えば、当該別のセルは、マクロセル１０及び／又は１つ以上の別のスモールセル２０である。この場合に、上記測定対象は、上記マクロセル１０及び／又は上記１つ以上の別のスモールセル２０（又はそれらの基地局）を含む。このような別のセルが測定対象になれば、基地局間ハンドオーバでの適切なハンドオーバ先（基地局又はセル）を見つけることが可能になる。そのため、例えば、スモール基地局２００−２全体を停止し、又は省電力で動作させることができる。その結果、消費電力が大幅に低減され得る。
【０１９４】
また、上記測定項目は、例えば、ＲＳＲＰを含む。
【０１９５】
上記報告手法は、例えば、周期的な報告又はイベントトリガの報告である。周期的な報告によれば、周期的なタイミングで測定の結果が報告され、イベントトリガの報告によれば、イベントが発生したタイミングで測定の結果が報告される。例えば、動作モードが上記第１のモードから上記第２のモードに切替えられるスモール基地局２００−２に接続される全ての端末装置３００−２による測定の結果を所定の期間内収集するためには、周期的な報告が行われることが望ましい。そのため、例えば、上記報告手法として、周期的な報告が指定される。この場合に、例えば、測定期間がさらに指定される。そして、当該測定期間における測定の結果が、端末装置３００−２により報告される。あるいは、報告周期がさらに指定され、当該報告周期で測定及び報告が行われてもよい。また、報告期間が指定され、当該報告期間にわたって報告周期での測定及び報告が行われてもよい。
【０１９６】
なお、例えば、上述したＲＲＣ接続再構成メッセージが、測定対象、測定項目及び／又は報告手法などの情報を含む。これにより、測定対象、測定項目及び／又は報告手法などが指定される。
【０１９７】
例えば以上のように、要求部１６３は、端末装置３００−２による測定の結果の報告又は提供を要求する。これにより、例えば、スモール基地局を状況に応じて柔軟に動作させることを可能になる。
【０１９８】
より具体的には、例えば、通常ハンドオーバの必要性がない時点でも、ネットワーク側の必要性に応じて端末装置３００による測定の結果が得られる。そのため、例えば、停止しようとする又は省電力で動作しようとするスモール基地局２００−２に接続される端末装置３００−２の適切なハンドオーバ先を決定することが可能になる。よって、スモール基地局２００−２にいずれかの端末装置３００−２が接続されているとしても、当該端末装置３００−２の通信は継続され得る。したがって、スモール基地局２００−２に接続されている端末装置３００−２の有無にかかわらず、スモール基地局２００−２を停止させ、省電力で動作させることが可能になり得る。
【０１９９】
（情報取得部１６５）
情報取得部１６５は、スモール基地局２００−２の動作モードが上記第１のモードから上記第２のモードへ切り替えられる前に、スモール基地局２００−２に接続されている端末装置３００−２による測定の結果を取得する。
【０２００】
上述したように、例えば、要求部１６３による要求に応じて、スモール基地局２００−２に接続されている端末装置３００−２による測定の結果がマクロ基地局１００−２に提供され、記憶部１４０に記憶される。そして、情報取得部１６５は、記憶部１４０に記憶されている上記測定の上記結果を取得する。
【０２０１】
例えば、上記測定の上記結果は、上記スモール基地局２００−２のスモールセル２０以外の１つ以上の別のセルについての測定の結果を含む。具体的には、例えば、当該別のセルは、マクロセル１０及び／又は１つ以上の別のスモールセル２０である。
【０２０２】
（制御部１６７）
制御部１６７は、上記測定の上記結果に基づいて、上記端末装置３００−２のハンドオーバ先を決定する。即ち、制御部１６７は、動作モードが上記第１のモードから上記第２のモードへ切り替えられるスモール基地局２００−２に接続されている端末装置３００−２による上記測定の上記結果に基づいて、当該端末装置３００−２のハンドオーバ先を決定する。
【０２０３】
具体的には、例えば、制御部１６７は、上記測定の上記結果に基づいて、上記スモール基地局２００−２以外の別の基地局を上記ハンドオーバ先として決定する。例えば、制御部１６７は、マクロ基地局１００−２（若しくはマクロセル１０）又は別のスモール基地局２００−２（若しくは別のスモールセル２０）を、上記ハンドオーバ先として決定する。一例として、制御部１６７は、端末装置３００−２により測定されたＲＳＲＰのうちの最も大きいＲＳＲＰに対応する基地局（又はセル）を、当該端末装置３００−２のハンドオーバ先として決定する。
【０２０４】
これにより、例えば、スモール基地局２００−２を状況に応じて柔軟に動作させることを可能になる。より具体的には、例えば、スモール基地局２００−２にいずれかの端末装置３００−２が接続されているとしても、当該端末装置３００−２の通信は継続され得る。したがって、スモール基地局２００−２に接続されている端末装置３００−２の有無にかかわらず、スモール基地局２００−２を停止させ、省電力で動作させることが可能になり得る。
【０２０５】
また、別の基地局（又は別のセル）がハンドオーバ先として決定されることにより、例えば、スモール基地局２００全体を停止し、又は省電力で動作させることができる。その結果、消費電力が大幅に低減され得る。
【０２０６】
＜３．２．処理の流れ＞
次に、図１７を参照して、第２の実施形態に係る通信制御処理の例を説明する。図１７は、第２の実施形態に係る通信制御処理の概略的な流れの一例を示すシーケンス図である。
【０２０７】
マクロ基地局１００−２は、第１のモード（例えば、通常モード）から第２のモード（例えば、停止モード又は省電力モード）へのスモール基地局２００−２の動作モードの切替えを行うことを決定する（Ｓ６０１）。
【０２０８】
そして、マクロ基地局１００−２は、上記スモール基地局２００−２に接続されている各端末装置３００−２による測定の結果の提供を、上記スモール基地局２００−２に要求する（Ｓ６０３）。すると、上記スモール基地局２００−２は、自身に接続されている各端末装置３００−２に、測定の結果の報告を要求する（Ｓ６０５）。そして、各端末装置３００−２は、上記スモール基地局２００−２に測定の結果を報告する（Ｓ６０７）。その後、上記スモール基地局２００−２は、上記測定の上記結果をマクロ基地局１００−２に提供する（Ｓ６０９）。
【０２０９】
その後、マクロ基地局１００−２は、上記スモール基地局２００−２に接続されている各端末装置３００−２による測定の結果に基づいて、上記スモール基地局２００−２に接続されている各端末装置３００−２のハンドオーバ先を決定する（Ｓ６１１）。そして、ハンドオーバ手続きが行われる（Ｓ６１３）。
【０２１０】
そして、マクロ基地局１００−２は、上記スモール基地局２００−２に、上記第１のモードから上記第２のモードへの上記動作モードの切替えを指示する（Ｓ６１５）。そして、上記スモール基地局２００−２は、動作モードを上記第１のモード（例えば、通常モード）から上記第２のモード（例えば、停止モード又は省電力モード）に切り替える（Ｓ６１７）。
【０２１１】
＜３．３．第１の変形例＞
次に、第２の実施形態の第１の変形例を説明する。第２の実施形態の第１の変形例では、キャリアアグリゲーションがサポートされる。そして、スモール基地局２００−２の動作モードは、周波数帯域単位で切替え可能である。また、端末装置３００−２による測定の結果は、上記動作モードが切り替えられる周波数帯域以外の１つ以上の別の周波数帯域についての測定の結果を含む。そして、当該測定の当該結果に基づいて、上記動作モードが切り替えられる上記周波数帯域以外の別の周波数帯域が、ハンドオーバ先として決定され得る。なお、上記周波数帯域は、例えばコンポーネントキャリア（ＣＣ）である。
【０２１２】
（マクロ基地局１００−２：要求部１６３）
−要求
−−要求の内容
第１の変形例では、上記測定対象は、例えば、セル（又は基地局）ごとの周波数帯域（例えば、ＣＣ）である。例えば、報告又は提供の対象となる測定の結果は、動作モードが切り替えられる周波数帯域（例えば、ＣＣ）以外の１つ以上の別の周波数帯域（例えば、１つ以上の別のＣＣ）についての測定の結果を含む。この場合に、上記測定対象は、例えば、動作モードが切り替えられるスモール基地局２００−２により使用される１つ以上の周波数帯域のうちの、動作モードが切り替えられる周波数帯域以外の１つ以上の周波数帯域を含む。このような別の周波数帯域（例えば、ＣＣ）が測定対象になれば、周波数間ハンドオーバでの適切なハンドオーバ先（周波数帯域）を見つけることが可能になる。そのため、例えば、スモール基地局２００−２は、一部の周波数帯域について動作を停止し又は省電力で動作しつつ、別の周波数帯域で端末装置３００−２との通信を継続し得る。よって、オフローディングが行われつつも、消費電力が低減され得る。
【０２１３】
（マクロ基地局１００−２：情報取得部１６５）
第１の変形例では、取得される上記測定の上記結果は、動作モードが切り替えられる周波数帯域（例えば、ＣＣ）以外の１つ以上の別の周波数帯域（例えば、１つ以上の別のＣＣ）についての測定の結果を含む。例えば、取得される上記測定の上記結果は、動作モードが切り替えられるスモール基地局２００−２により使用される１つ以上の周波数帯域（例えば、ＣＣ）のうちの、動作モードが切り替えられる周波数帯域以外の１つ以上の別の周波数帯域（例えば、１つ以上の別のＣＣ）を含む。
【０２１４】
（マクロ基地局１００−２：制御部１６７）
第１の変形例では、例えば、制御部１６７は、上記測定の上記結果に基づいて、動作モードが切り替えられる上記周波数帯域（例えば、ＣＣ）以外の別の周波数帯域を、上記ハンドオーバ先として決定する。
【０２１５】
例えば、制御部１６７は、端末装置３００−２により測定されたＲＳＲＰのうちの最も大きいＲＳＲＰに対応する周波数帯域（例えば、ＣＣ）を、当該端末装置３００−２のハンドオーバ先として決定する。例えば、動作モードが切り替えられるスモール基地局２００−２により使用される１つ以上の周波数帯域（例えば、ＣＣ）のうちの、動作モードが切り替えられる周波数帯域以外の１つの周波数帯域（例えば、１つのＣＣ）が、ハンドオーバ先として決定される。即ち、周波数間ハンドオーバが行われてもよい。
【０２１６】
なお、当然ながら、動作モードが切り替えられるスモール基地局２００−２以外の別のスモール基地局２００−２により使用される周波数帯域（例えば、ＣＣ）が、ハンドオーバ先として決定されてもよい。即ち、基地局間ハンドオーバが行われてもよい。
【０２１７】
これにより、例えば、スモール基地局２００−２は、一部の周波数帯域について動作を停止し又は省電力で動作しつつ、別の周波数帯域で端末装置３００−２との通信を継続し得る。よって、オフローディングが行われつつも、消費電力が低減され得る。
【０２１８】
（処理の流れ）
第２の実施形態の第１の変形例に係る通信制御処理の流れは、測定対象及びハンドオーバ先などが異なるという点を除き、例えば、図１７を参照して説明した第２の実施形態に係る通信制御処理の流れの一例と同一である。
【０２１９】
＜３．４．第２の変形例＞
次に、図１８を参照して、第２の実施形態の第２の変形例を説明する。
【０２２０】
第２の実施形態では、上述したように、例えば、スモールセル２０において制御信号及びデータ信号が送受信される。即ち、スモールセル２０は、制御プレーンの信号（制御信号）及びユーザプレーンの信号（データ信号）の両方を送受信する。
【０２２１】
一方、第２の実施形態の第２の変形例では、スモールセル２０では、データ信号のみが送受信され、制御信号は送受信されない。そのため、スモールセル２０に関連する制御信号は、マクロ基地局１００−２により送受信される。
【０２２２】
例えば、第２の変形例では、キャリアアグリゲーションがサポートされ、端末装置３００−２は、ＰＣＣを使用してマクロ基地局１００−２と通信し、ＳＣＣを使用してスモール基地局２００−２と通信する。即ち、端末装置３００−２は、ＰＣＣを介してマクロ基地局１００−２に接続されつつ、ＳＣＣを介してスモール基地局２００−２に接続される。
【０２２３】
（マクロ基地局１００−１：要求部１６３）
−要求
−−要求の手法
第２の実施形態の第２の変形例では、要求部１６３は、無線通信部１２０を介して、動作モードが上記第１のモードから上記第２のモードに切り替えられるスモール基地局２００−２に接続されている１つ以上の端末装置３００−２に、測定の結果の報告を要求する。すると、当該１つ以上の端末装置３００−２は、マクロ基地局１００−２に測定の結果を報告する。その後、上記測定の上記結果は、記憶部１４０に記憶される。
【０２２４】
より具体的には、例えば、要求部１６３は、無線通信部１２０を介して、上記スモール基地局２００−２に接続されている各端末装置３００−２に、測定の結果の報告を要求する。その結果、各端末装置３００−２は、測定の結果をマクロ基地局１００−２に報告する。
【０２２５】
なお、マクロ基地局１００−２による端末装置３００−２に対する要求は、例えば、ＲＲＣ接続再構成メッセージ（RRC  Connection  Reconfiguration  message）の端末装置３００−２への送信によって行われる。
【０２２６】
（処理の流れ）
図１８は、第２の実施形態の第２の変形例に係る通信制御処理の概略的な流れの一例を示すシーケンス図である。
【０２２７】
マクロ基地局１００−２は、第１のモード（例えば、通常モード）から第２のモード（例えば、停止モード又は省電力モード）へのスモール基地局２００−２の動作モードの切替えを行うことを決定する（Ｓ６２１）。
【０２２８】
そして、マクロ基地局１００−２は、上記スモール基地局２００−２に接続されている各端末装置３００−２に、測定の結果の報告を要求する（Ｓ６２３）。すると、各端末装置３００−２は、マクロ基地局１００−２に測定の結果を報告する（Ｓ６２５）。
【０２２９】
その後、マクロ基地局１００−２は、上記スモール基地局２００−２に接続されている各端末装置３００−２による測定の結果に基づいて、上記スモール基地局２００−２に接続されている各端末装置３００−２のハンドオーバ先を決定する（Ｓ６２７）。そして、ハンドオーバ手続きが行われる（Ｓ６２９）。なお、ここでのハンドオーバは、例えば、ＳＣＣの追加及び削除の組合せによるＳＣＣのハンドオーバである。即ち、当該ハンドオーバは、使用されているＳＣＣの削除とハンドオーバ先のＳＣＣの追加との組合せによるＳＣＣのハンドオーバである。ハンドオーバ先のＳＣＣは、別のスモール基地局２００−２（動作モードが切替えられるスモール基地局２００−２以外のスモール基地局２００−２）のＣＣであってもよく、同一のスモール基地局２００−２（動作モードが切替えられるスモール基地局２００−２）の別のＣＣであってもよい。
【０２３０】
そして、マクロ基地局１００−２は、上記スモール基地局２００−２に、上記第１のモードから上記第２のモードへの上記動作モードの切替えを指示する（Ｓ６３１）。そして、上記スモール基地局２００−２は、動作モードを上記第１のモード（例えば、通常モード）から上記第２のモード（例えば、停止モード又は省電力モード）に切り替える（Ｓ６３３）。
【０２３１】
＜３．５．第３の変形例＞
次に、図１９を参照して、第２の実施形態の第３の変形例を説明する。
【０２３２】
第２の実施形態では、上述したように、例えば、マクロ基地局１００−２が、切り替え認識部１６１、要求部１６３、情報取得部１６５及び制御部１６７を備える。
【０２３３】
一方、第２の実施形態の第３の変形例では、例えば、マクロ基地局１００−２の代わりに、制御エンティティ４００−２が、切り替え認識部１６１及び要求部１６３を備える。また、例えば、マクロ基地局１００−２の代わりに、制御エンティティ４００−２が、情報取得部１６５及び制御部１６７を備える。
【０２３４】
（制御エンティティ４００−２：切替え認識部１６１）
第３の変形例では、例えば、制御エンティティ４００−２が切替え認識部１６１を備える。この場合に、例えば、制御エンティティ４００−２が、上記第１のモードから上記第２のモードへの上記動作モードの切替えを行うことを決定する。そして、制御エンティティ４００−２の切替え認識部１６１は、上記動作モードが上記第１のモードから上記第２のモードへ切替えられることを予め認識する。なお、制御エンティティ４００−２の代わりに、別のノードが上記切替えを行うことを決定し、当該切替えを制御エンティティ４００−２に通知し又は指示してもよい。
【０２３５】
（制御エンティティ４００−２：要求部１６３）
第３の変形例では、例えば、制御エンティティ４００−２が要求部１６３を備える。この場合に、制御エンティティ４００−２の要求部１６３は、例えば、動作モードが上記第１のモードから上記第２のモードへ切り替えられるスモール基地局２００−２に、当該スモール基地局２００−２に接続されている端末装置３００−２による測定の結果の提供を要求する。あるいは、制御エンティティ４００−２の要求部１６３は、マクロ基地局１００−２に、上記スモール基地局２００−２に接続されている端末装置３００−２による測定の結果の提供を要求し、マクロ基地局１００−２が、上記スモール基地局２００−２に上記提供をさらに要求してもよい。
【０２３６】
（制御エンティティ４００−２：情報取得部１６５）
第３の変形例では、制御エンティティ４００−２が情報取得部１６５を備える。この場合に、端末装置３００−２による測定の結果が、スモール基地局２００−２（又はマクロ基地局１００−２）により制御エンティティ４００−２に提供され、制御エンティティ４００−２において記憶される。そして、制御エンティティ４００−２の情報取得部１６５は、端末装置３００−２による上記測定の上記結果を取得する。
【０２３７】
（制御エンティティ４００−２：制御部１６７）
第３の変形例では、制御エンティティ４００−２が制御部１６７を備える。この場合に、例えば、制御エンティティ４００−２の制御部１６７が、端末装置３００−２による上記測定の上記結果に基づいて、当該端末装置３００−２のハンドオーバ先を決定する。
【０２３８】
（処理の流れ）
図１９は、第２の実施形態の第３の変形例に係る通信制御処理の概略的な流れの一例を示すシーケンス図である。
【０２３９】
制御エンティティ４００−２は、第１のモード（例えば、通常モード）から第２のモード（例えば、停止モード又は省電力モード）へのスモール基地局２００−２の動作モードの切替えを行うことを決定する（Ｓ６４１）。
【０２４０】
そして、制御エンティティ４００−２は、上記スモール基地局２００−２に接続されている各端末装置３００−２による測定の結果の提供を、上記スモール基地局２００−２に要求する（Ｓ６４３）。すると、上記スモール基地局２００−２は、自身に接続されている各端末装置３００−２に、測定の結果の報告を要求する（Ｓ６４５）。そして、各端末装置３００−２は、上記スモール基地局２００−２に測定の結果を報告する（Ｓ６４７）。その後、上記スモール基地局２００−２は、上記測定の上記結果を制御エンティティ４００−２に提供する（Ｓ６４９）。
【０２４１】
その後、制御エンティティ４００−２は、上記スモール基地局２００−２に接続されている各端末装置３００−２による上記測定の上記結果に基づいて、上記スモール基地局２００−２に接続されている各端末装置３００−２のハンドオーバ先を決定する（Ｓ６５１）。そして、ハンドオーバ手続きが行われる（Ｓ６５３）。
【０２４２】
そして、制御エンティティ４００−２は、上記スモール基地局２００−２に、上記第１のモードから上記第２のモードへの上記動作モードの切替えを指示する（Ｓ６５５）。そして、上記スモール基地局２００−２は、動作モードを上記第１のモード（例えば、通常モード）から上記第２のモード（例えば、停止モード又は省電力モード）に切り替える（Ｓ６５７）。
【０２４３】
＜３．６．第４の変形例＞
次に、図２０を参照して、第２の実施形態の第４の変形例を説明する。
【０２４４】
第２の実施形態では、上述したように、例えば、マクロ基地局１００−２が、切り替え認識部１６１、要求部１６３、情報取得部１６５及び制御部１６７を備える。
【０２４５】
一方、第２の実施形態の第４の変形例では、例えば、マクロ基地局１００−２の代わりに、スモール基地局２００−２が、切り替え認識部１６１及び要求部１６３を備える。また、例えば、マクロ基地局１００−２の代わりに、スモール基地局２００−２が、情報取得部１６５及び制御部１６７を備える。
【０２４６】
（スモール基地局２００−２：切替え認識部１６１）
第４の変形例では、例えば、スモール基地局２００−２が切替え認識部１６１を備える。この場合に、例えば、マクロ基地局１００−２（又は別のノード）が、上記第１のモードから上記第２のモードへのスモール基地局２００−２の動作モードの切替えを行うことを決定する。そして、マクロ基地局１００−２（又は別のノード）は、当該切替えをスモール基地局２００−２に指示し、スモール基地局２００−２の切替え認識部１６１は、上記動作モードが上記第１のモードから上記第２のモードへ切替えられることを予め認識する。なお、スモール基地局２００−２が、上記切替えを行うことを自ら決定してもよい。
【０２４７】
（スモール基地局２００−２：要求部１６３）
第４の変形例では、例えば、スモール基地局２００−２が要求部１６３を備える。この場合に、スモール基地局２００−２の要求部１６３は、自身に接続されている端末装置３００−２による測定の結果の報告を要求する。
【０２４８】
（スモール基地局２００−２：情報取得部１６５）
第４の変形例では、スモール基地局２００−２が情報取得部１６５を備える。この場合に、スモール基地局２００−２に接続されている端末装置３００−２による測定の結果が、スモール基地局２００−２に提供され、スモール基地局２００−２において記憶される。そして、スモール基地局２００−２の情報取得部１６５は、スモール基地局２００−２に接続されている端末装置３００−２による上記測定の上記結果を取得する。
【０２４９】
（スモール基地局２００−２：制御部１６７）
第４の変形例では、スモール基地局２００−２が制御部１６７を備える。この場合に、例えば、スモール基地局２００−２の制御部１６７が、スモール基地局２００−２に接続されている端末装置３００−２による上記測定の上記結果に基づいて、当該端末装置３００−２のハンドオーバ先を決定する。
【０２５０】
（処理の流れ）
図２０は、第２の実施形態の第４の変形例に係る通信制御処理の概略的な流れの一例を示すシーケンス図である。
【０２５１】
マクロ基地局４００−２は、第１のモード（例えば、通常モード）から第２のモード（例えば、停止モード又は省電力モード）へのスモール基地局２００−２の動作モードの切替えを行うことを決定する（Ｓ６７１）。そして、マクロ基地局１００−２は、スモール基地局２００−２に、上記第１のモードから上記第２のモードへの上記動作モードの切替えを指示する（Ｓ６７３）。
【０２５２】
すると、スモール基地局２００−２は、自身に接続されている各端末装置３００−２に、測定の結果の報告を要求する（Ｓ６７５）。そして、各端末装置３００−２は、スモール基地局２００−２に測定の結果を報告する（Ｓ６７７）。
【０２５３】
その後、制御エンティティ４００−２は、スモール基地局２００−２に接続されている各端末装置３００−２による測定の結果に基づいて、スモール基地局２００−２に接続されている各端末装置３００−２のハンドオーバ先を決定する（Ｓ６７９）。そして、ハンドオーバ手続きが行われる（Ｓ６８１）。
【０２５４】
そして、スモール基地局２００−２は、動作モードを上記第１のモード（例えば、通常モード）から上記第２のモード（例えば、停止モード又は省電力モード）に切り替える（Ｓ６８３）。
【０２５５】
＜＜４．応用例＞＞
本開示に係る技術は、様々な製品へ応用可能である。例えば、マクロ基地局１００及びスモール基地局２００は、いずれかの種類のｅＮＢ（evolved  Node  B）として実現されてもよい。具体例として、マクロ基地局１００は、マクロｅＮＢとして実現されてもよく、スモール基地局２００は、スモールｅＮＢとして実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、マクロ基地局１００及びスモール基地局２００は、ＮｏｄｅＢ又はＢＴＳ（Base  Transceiver  Station）などの他の種類の基地局として実現されてもよい。マクロ基地局１００及びスモール基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、マクロ基地局１００又はスモール基地局２００として動作してもよい。
【０２５６】
また、例えば、制御エンティティ４００は、タワーサーバ、ラックサーバ、又はブレードサーバなどのいずれかの種類のサーバとして実現されてもよい。また、制御エンティティ４００は、サーバに搭載される制御モジュール（例えば、１つのダイで構成される集積回路モジュール、又はブレードサーバのスロットに挿入されるカード若しくはブレード）であってもよい。また、制御エンティティ４００は、上記サーバ上にソフトウェアにより動的に実装、若しくは、非実装される形態で構成されてもよい。さらに、制御エンティティ４００は、基地局を含むコアネットワーク内に設置された任意の機能が実装されているサーバに実装されてもよい。
【０２５７】
＜４．１．基地局に関する応用例＞
（第１の応用例）
図２１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２５８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２１に示したように複数のアンテナ８１０を有し、複数のアンテナ８１０は、例えばｅＮＢ８００が使用する複数の周波数帯域にそれぞれ対応してもよい。なお、図２１にはｅＮＢ８００が複数のアンテナ８１０を有する例を示したが、ｅＮＢ８００は単一のアンテナ８１０を有してもよい。
【０２５９】
基地局装置８２０は、コントローラ８２１、メモリ８２２、ネットワークインタフェース８２３及び無線通信インタフェース８２５を備える。
【０２６０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２６１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２６２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２６３】
無線通信インタフェース８２５は、図２１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２１に示したように複数のＲＦ回路８２７を含み、複数のＲＦ回路８２７は、例えば複数のアンテナ素子にそれぞれ対応してもよい。なお、図２１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２６４】
（第２の応用例）
図２２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２６５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２２に示したように複数のアンテナ８４０を有し、複数のアンテナ８４０は、例えばｅＮＢ８３０が使用する複数の周波数帯域にそれぞれ対応してもよい。なお、図２２にはｅＮＢ８３０が複数のアンテナ８４０を有する例を示したが、ｅＮＢ８３０は単一のアンテナ８４０を有してもよい。
【０２６６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２１を参照して説明したコントローラ８２１、メモリ８２２及びネットワークインタフェース８２３と同様のものである。
【０２６７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２１を参照して説明したＢＢプロセッサ８２６と同様のものである。無線通信インタフェース８５５は、図２２に示したように複数のＢＢプロセッサ８５６を含み、複数のＢＢプロセッサ８５６は、例えばｅＮＢ８３０が使用する複数の周波数帯域にそれぞれ対応してもよい。なお、図２２には無線通信インタフェース８５５が複数のＢＢプロセッサ８５６を含む例を示したが、無線通信インタフェース８５５は単一のＢＢプロセッサ８５６を含んでもよい。
【０２６８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２６９】
また、ＲＲＨ８６０は、接続インタフェース８６１及び無線通信インタフェース８６３を備える。
【０２７０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２７１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２２に示したように複数のＲＦ回路８６４を含み、複数のＲＦ回路８６４は、例えば複数のアンテナ素子にそれぞれ対応してもよい。なお、図２２には無線通信インタフェース８６３が複数のＲＦ回路８６４を含む例を示したが、無線通信インタフェース８６３は単一のＲＦ回路８６４を含んでもよい。
【０２７２】
図２１及び図２２に示したｅＮＢ８００及びｅＮＢ８３０において、図２を参照して説明した要求部１５１、情報取得部１５３及び制御部１５５は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２７３】
また、図２１及び図２２に示したｅＮＢ８００及びｅＮＢ８３０において、図１６を参照して説明した切替え認識部１６１、要求部１６３、情報取得部１６５及び制御部１６７は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２７４】
＜４．２．制御エンティティに関する応用例＞
図２３は、本開示に係る技術が適用され得るサーバ９００の概略的な構成の一例を示すブロック図である。サーバ９００は、プロセッサ９０１、メモリ９０２、ストレージ９０３、ネットワークインタフェース９０４及びバス９０６を備える。
【０２７５】
プロセッサ９０１は、例えばＣＰＵ（Central  Processing  Unit）又はＤＳＰ（Digital  Signal  Processor）であってよく、サーバ９００の各種機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。
【０２７６】
ネットワークインタフェース９０４は、サーバ９００を有線通信ネットワーク９０５に接続するための有線通信インタフェースである。有線通信ネットワーク９０５は、ＥＰＣ（Evolved  Packet  Core）などのコアネットワークであってもよく、又はインターネットなどのＰＤＮ（Packet  Data  Network）であってもよい。
【０２７７】
バス９０６は、プロセッサ９０１、メモリ９０２、ストレージ９０３及びネットワークインタフェース９０４を互いに接続する。バス９０６は、速度の異なる２つ以上のバス（例えば、高速バス及び低速バス）を含んでもよい。
【０２７８】
図２３に示したサーバ９００において、図２を参照して説明した要求部１５１、情報取得部１５３及び制御部１５５は、プロセッサ９０１において実装されてもよい。
【０２７９】
また、図２３に示したサーバ９００において、図１６を参照して説明した切替え認識部１６１、要求部１６３、情報取得部１６５及び制御部１６７は、プロセッサ９０１において実装されてもよい。
【０２８０】
＜＜５．まとめ＞＞
ここまで、図１〜図２３を参照して、本開示の実施形態に係る各ノード及び各処理を説明した。
【０２８１】
（第１の実施形態）
本開示の第１の実施形態によれば、端末装置３００−１による測定の結果が取得され、当該測定の当該結果に基づいて、スモールセル２０のスモール基地局２００−１の動作モードの切換えが制御される。上記切替えは、第１のモード及び第２のモードの一方から他方への上記動作モードの切替えである。また、上記第１のモードは、スモール基地局２００−１がスモールセル２０内の装置との無線通信を行うことが可能なモード（例えば、通常モード）であり、上記第２のモードは、上記第１のモードよりも消費電力が小さいモード（例えば、停止モード又は省電力モード）である。
【０２８２】
これにより、例えば、スモール基地局２００−１を状況に応じて柔軟に動作させることを可能になる。
【０２８３】
−第１のモードから第２のモードへの動作モードの切替え（第１の切替え）
例えば、上記切替えは、上記第１のモードから上記第２のモードへの切替えであり、上記測定の上記結果は、上記スモールセル２０についての測定の結果を含む。
【０２８４】
これにより、例えば、スモール基地局２００−１を状況に応じて柔軟に動作させることを可能になる。より具体的には、例えば、スモールセル２０内にいずれかの端末装置３００−１が存在する場合でも、当該スモールセル２０による十分な効果（例えば、トラフィックのオフローディング）が望めない場合には、当該スモールセル２０のスモール基地局２００−１を停止させ、又は省電力で動作させることができる。その結果、スモール基地局２００−１の消費電力がより低減され得る。また、スモール基地局２００−１に起因する干渉も低減され得る。
【０２８５】
また、例えば、上記切替えを制御することは、スモール基地局２００−１に接続されている端末装置３００−１のハンドオーバ先を決定することを含む。
【０２８６】
これにより、例えば、上記スモール基地局２００−１が停止し、又は省電力で動作するようになった後も、上記端末装置３００−１は、通信を継続することができる。
【０２８７】
また、例えば、上記測定の上記結果は、複数の周波数帯域の各々についての測定の結果を含み、上記切替えは、周波数帯域単位での上記動作モードの切替えである。
【０２８８】
これにより、例えば、スモール基地局２００−１をさらに柔軟に動作させることが可能となる。具体的には、例えば、スモールセル２０の複数の周波数帯域のうちの一部の周波数帯域について十分な効果（例えば、トラフィックのオフローディング）が望めない場合に、当該一部の周波数帯域について、スモール基地局２００−１を停止させ、又は省電力で動作させることができる。その結果、スモール基地局２００−１の消費電力がより低減され得る。また、スモール基地局２００−１に起因する干渉も低減され得る。
【０２８９】
−第２のモードから第１のモードへの動作モードの切替え（第２の切替え）
例えば、上記切替えは、上記第２のモードから上記第１のモードへの切替えである。
【０２９０】
これにより、例えば、スモール基地局２００−１を状況に応じて柔軟に動作させることを可能になる。より具体的には、例えば、スモールセル２０内に存在する端末が他のセル（例えば、マクロセル）で良好に通信できていなければ、スモール基地局２００−１が通信を再開する。これにより、上記端末がスモールセル２０で良好に通信できるようになり得る。一方、スモールセル２０内に端末が存在したとしても、当該端末が他のセル（例えば、マクロセル）で良好に通信できていれば、スモール基地局２００−１は、継続して停止し又は省電力で動作することができる。その結果、スモール基地局２００−１の消費電力がより低減され得る。また、スモール基地局２００−１に起因する干渉も低減され得る。
【０２９１】
また、例えば、上記測定の上記結果は、複数の周波数帯域の各々についての測定の結果を含み、上記切替えは、周波数帯域単位での上記動作モードの切替えである。
【０２９２】
これにより、例えば、スモール基地局２００−１をさらに柔軟に動作させることが可能となる。具体的には、例えば、スモール基地局２００−１は、スモールセル２９の複数の周波数帯域の全てにおいて通信を再開する代わりに、当該複数の周波数帯域の一部において通信を再開することができる。その結果、スモール基地局２００−１の消費電力がより低減され得る。また、スモール基地局２００−１に起因する干渉も低減され得る。
【０２９３】
−測定の結果の報告又は提供の要求
例えば、端末装置３００−１による測定の結果の報告又は提供が要求される。
【０２９４】
これにより、例えば、通常ハンドオーバの必要性がない時点でも、ネットワーク側の必要性に応じて端末装置３００による測定の結果が得られる。
【０２９５】
（第２の実施形態）
−切替えの認識と測定の結果の報告又は提供の要求
本開示の第２の実施形態によれば、スモールセル２０のスモール基地局２００−２の動作モードが第１のモードから第２のモードへ切り替えられることが予め認識される。そして、上記スモール基地局２００−２の動作モードが上記第１のモードから上記第２のモードへ切り替えられる前に、スモール基地局２００−２に接続されている端末装置３００−２による測定の結果の報告又は提供が要求される。上記第１のモードは、スモール基地局２００−２がスモールセル２０内の装置との無線通信を行うことが可能なモード（例えば、通常モード）であり、上記第２のモードは、上記第１のモードよりも消費電力が小さいモード（例えば、停止モード又は省電力モード）である。
【０２９６】
これにより、例えば、スモール基地局を状況に応じて柔軟に動作させることを可能になる。より具体的には、例えば、通常ハンドオーバの必要性がない時点でも、ネットワーク側の必要性に応じて端末装置３００による測定の結果が得られる。そのため、例えば、停止しようとする又は省電力で動作しようとするスモール基地局２００−２に接続される端末装置３００−２の適切なハンドオーバ先を決定することが可能になる。よって、スモール基地局２００−２にいずれかの端末装置３００−２が接続されているとしても、当該端末装置３００−２の通信は継続され得る。したがって、スモール基地局２００−２に接続されている端末装置３００−２の有無にかかわらず、スモール基地局２００−２を停止させ、省電力で動作させることが可能になり得る。
【０２９７】
また、例えば、上記測定の上記結果は、上記スモール基地局２００−２のスモールセル２０以外の１つ以上の別のセルについての測定の結果を含む。
【０２９８】
これにより、基地局間ハンドオーバでの適切なハンドオーバ先（基地局又はセル）を見つけることが可能になる。そのため、例えば、スモール基地局２００−２全体を停止し、又は省電力で動作させることができる。その結果、消費電力が大幅に低減され得る。
【０２９９】
また、例えば、スモール基地局２００−２の動作モードは、周波数帯域単位で切替え可能であり、当該測定の当該結果は、動作モードが切り替えられる周波数帯域（例えば、ＣＣ）以外の１つ以上の別の周波数帯域（例えば、１つ以上の別のＣＣ）についての測定の結果を含む。
【０３００】
これにより、周波数間ハンドオーバでの適切なハンドオーバ先（周波数帯域）を見つけることが可能になる。そのため、例えば、スモール基地局２００−２は、一部の周波数帯域について動作を停止し又は省電力で動作しつつ、別の周波数帯域で端末装置３００−２との通信を継続し得る。よって、オフローディングが行われつつも、消費電力が低減され得る。
【０３０１】
−切替えの認識と測定の結果の報告又は提供の要求
本開示の第２の実施形態によれば、スモールセル２０のスモール基地局２００−２の動作モードが第１のモードから第２のモードへ切り替えられる前に、上記スモール基地局２００−２に接続されている端末装置３００−２による測定の結果が取得される。そして、上記測定の上記結果に基づいて、上記端末装置３００−２のハンドオーバ先が決定される。上記第１のモードは、スモール基地局２００−２がスモールセル２０内の装置との無線通信を行うことが可能なモード（例えば、通常モード）であり、上記第２のモードは、上記第１のモードよりも消費電力が小さいモード（例えば、停止モード又は省電力モード）である。
【０３０２】
これにより、例えば、スモール基地局２００−２を状況に応じて柔軟に動作させることを可能になる。より具体的には、例えば、スモール基地局２００−２にいずれかの端末装置３００−２が接続されているとしても、当該端末装置３００−２の通信は継続され得る。したがって、スモール基地局２００−２に接続されている端末装置３００−２の有無にかかわらず、スモール基地局２００−２を停止させ、省電力で動作させることが可能になり得る。
【０３０３】
また、例えば、上記測定の上記結果は、上記スモール基地局２００−２のスモールセル２０以外の１つ以上の別のセルについての測定の結果を含む。制御部１６７は、上記測定の上記結果に基づいて、上記スモール基地局２００−２以外の別の基地局を上記ハンドオーバ先として決定する。
【０３０４】
これにより、例えば、スモール基地局２００全体を停止し、又は省電力で動作させることができる。その結果、消費電力が大幅に低減され得る。
【０３０５】
また、例えば、スモール基地局２００−２の動作モードは、周波数帯域単位で切替え可能であり、当該測定の当該結果は、動作モードが切り替えられる周波数帯域（例えば、ＣＣ）以外の１つ以上の別の周波数帯域（例えば、１つ以上の別のＣＣ）についての測定の結果を含む。また、上記測定の上記結果に基づいて、動作モードが切り替えられる上記周波数帯域（例えば、ＣＣ）以外の別の周波数帯域が、上記ハンドオーバ先として決定される。
【０３０６】
これにより、例えば、スモール基地局２００−２は、一部の周波数帯域について動作を停止し又は省電力で動作しつつ、別の周波数帯域で端末装置３００−２との通信を継続し得る。よって、オフローディングが行われつつも、消費電力が低減され得る。
【０３０７】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３０８】
例えば、本開示に係る技術は、ここで例示したモード以外の動作モードの組合せにも適用可能である。例えば、移動局として動作する端末装置を基地局、若しくは、アクセスポイントとして動作させることができる端末装置において、第１の動作モードは基地局、若しくは、アクセスポイントとして動作するモード、第２の動作モードは移動局として動作するモードであってもよい。
【０３０９】
また、例えば、本明細書の通信制御処理における処理ステップは、必ずしもシーケンス図に記載された順序に沿って時系列に実行されなくてよい。例えば、通信制御処理における処理ステップは、シーケンス図として記載した順序と異なる順序で実行されても、並列的に実行されてもよい。
【０３１０】
また、各装置（マクロ基地局の装置、スモール基地局の装置又は制御エンティティの装置）に内蔵されるＣＰＵ、ＲＯＭ及びＲＡＭ等のハードウェアに、各装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行可能な１つ以上のプロセッサ（例えば、ＣＰＵ、ＤＳＰなど）を備える情報処理装置（例えば、処理回路、チップ）も提供されてもよい。
【０３１１】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３１２】
なお、以下のような構成も本開示の技術的範囲に属する。
（１）
端末装置による測定の結果を取得する取得部と、
前記測定の前記結果に基づいて、マクロセルと一部又は全体で重なるスモールセルの基地局の動作モードの切替えを制御する制御部と、
を備え、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御装置。
（２）
前記切替えは、前記第１のモードから前記第２のモードへの切替えであり、
前記測定の前記結果は、前記スモールセルについての測定の結果を含む、
前記（１）に記載の通信制御装置。
（３）
前記切替えを制御することは、前記基地局に接続されている端末装置のハンドオーバ先を決定することを含む、前記（２）に記載の通信制御装置。
（４）
前記切替えは、前記第２のモードから前記第１のモードへの切替えである、前記（１）に記載の通信制御装置。
（５）
前記測定の前記結果は、前記スモールセル以外の１つ以上の別のセルについての測定の結果を含む、前記（４）に記載の通信制御装置。
（６）
前記切替えを制御することは、前記切替えを行うことを決定することを含む、前記（１）〜（５）のいずれか１項に記載の通信制御装置。
（７）
前記切替えを制御することは、前記切替えを行うことが決定された場合に前記基地局による前記切替えをトリガすることを含む、前記（６）に記載の通信制御装置。
（８）
前記測定の前記結果は、複数の周波数帯域の各々についての測定の結果を含み、
前記切替えは、周波数帯域単位での前記動作モードの切替えである、
前記（１）〜（７）のいずれか１項に記載の通信制御装置。
（９）
前記第２のモードは、少なくとも前記無線通信のための信号処理回路が連続的に又は不連続に停止するモードである、前記（１）〜（８）のいずれか１項に記載の通信制御装置。
（１０）
前記端末装置による測定の結果の報告又は提供を要求する要求部をさらに備える、前記（１）〜（９）のいずれか１項に記載の通信制御装置。
（１１）
端末装置による測定の結果を取得することと、
前記測定の前記結果に基づいて、マクロセルと一部又は全体で重なるスモールセルの基地局の動作モードの切替えをプロセッサにより制御することと、
を含み、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御方法。
（１２）
マクロセルと一部又は全体で重なるスモールセルの基地局の動作モードが第１のモードから第２のモードへ切り替えられることを予め認識する認識部と、
前記基地局の前記動作モードが前記第１のモードから前記第２のモードへ切り替えられる前に、前記基地局に接続されている端末装置による測定の結果の報告又は提供を要求する要求部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
（１３）
前記測定の前記結果は、前記スモールセル以外の１つ以上の別のセルについての測定の結果を含む、前記（１２）に記載の通信制御装置。
（１４）
前記動作モードは、周波数帯域単位で切替え可能であり、
前記測定の前記結果は、前記動作モードが切り替えられる周波数帯域以外の１つ以上の別の周波数帯域についての測定の結果を含む、
前記（１２）又は（１３）に記載の通信制御装置。
（１５）
前記第２のモードは、少なくとも前記無線通信のための信号処理回路が停止するモードである、前記（１２）〜（１４）のいずれか１項に記載の通信制御装置。
（１６）
マクロセルと一部又は全体で重なるスモールセルの基地局の動作モードが第１のモードから第２のモードへ切り替えられることを予め認識することと、
前記基地局の前記動作モードが前記第１のモードから前記第２のモードへ切り替えられる前に、前記基地局に接続されている端末装置による測定の結果の報告又は提供をプロセッサにより要求することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
（１７）
マクロセルと一部又は全体で重なるスモールセルの基地局の動作モードが第１のモードから第２のモードへ切り替えられる前に、前記基地局に接続されている端末装置による測定の結果を取得する取得部と、
前記測定の前記結果に基づいて、前記端末装置のハンドオーバ先を決定する制御部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
（１８）
前記測定の前記結果は、前記スモールセル以外の１つ以上の別のセルについての測定の結果を含み、
前記制御部は、前記測定の前記結果に基づいて、前記基地局以外の別の基地局を前記ハンドオーバ先として決定する、
前記（１７）に記載の通信制御装置。
（１９）
前記動作モードは、周波数帯域単位で切替え可能であり、
前記測定の前記結果は、前記動作モードが切り替えられる周波数帯域以外の１つ以上の別の周波数帯域についての測定の結果を含む、
前記制御部は、前記測定の前記結果に基づいて、前記周波数帯域以外の別の周波数帯域を前記ハンドオーバ先として決定する、
前記（１７）に記載の通信制御装置。
（２０）
マクロセルと一部又は全体で重なるスモールセルの基地局の動作モードが第１のモードから第２のモードへ切り替えられる前に、前記基地局に接続されている端末装置による測定の結果を取得することと、
前記測定の前記結果に基づいて、前記端末装置のハンドオーバ先をプロセッサにより決定することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
【符号の説明】
【０３１３】
１        通信システム
１０      マクロセル
２０      スモールセル
１００    マクロ基地局
１５１    要求部
１５３    情報取得部
１５５    制御部
１６１    切替え認識部
１６３    要求部
１６５    情報取得部
１６７    制御部
２００    スモール基地局
３００    端末装置
４００    制御エンティティ
【図１】
2015130644.tif 000003
【図２】
2015130644.tif 000004
【図３】
2015130644.tif 000005
【図４】
2015130644.tif 000006
【図５】
2015130644.tif 000007
【図６】
2015130644.tif 000008
【図７】
2015130644.tif 000009
【図８】
2015130644.tif 000010
【図９】
2015130644.tif 000011
【図１０】
2015130644.tif 000012
【図１１】
2015130644.tif 000013
【図１２】
2015130644.tif 000014
【図１３】
2015130644.tif 000015
【図１４】
2015130644.tif 000016
【図１５】
2015130644.tif 000017
【図１６】
2015130644.tif 000018
【図１７】
2015130644.tif 000019
【図１８】
2015130644.tif 000020
【図１９】
2015130644.tif 000021
【図２０】
2015130644.tif 000022
【図２１】
2015130644.tif 000023
【図２２】
2015130644.tif 000024
【図２３】
2015130644.tif 000025